(57)【要約】【課題】本発明は改善された制御システムを有する空気処理システムに関する。【解決手段】本発明は、制御システムは、作動モードに基づいてディスプレイを変える動的「デッドフロント」ディスプレイを含んでもよい。ディスプレイは、容量性タッチセンサーを含んでもよく、ディスプレイに組み込まれた、容量性皮膜の区分又はトレース要素のアレイを含んでもよい。制御システムは、ＡＴＳ中に取り付ける前に試験及び校正することが可能な内蔵型電子部品モジュールを含んでもよい。ほこりセンサーアセンブリーを電子部品モジュールに組み込んでもよい。前部カバーは、上部は機械式アタッチメントで、底部は磁気式アタッチメントで、取り付けてもよい。ＡＴＳは、粒子フィルター及び炭素フィルターを正しい位置に堅く締めるようにカム状に働くよう構成される回転するクリップをもったフィルター保持器を含んでもよい。【選択図】図３３Ａ
2020001039.tif 000002
【特許請求の範囲】
【請求項１】
空気処理システムであって、
入口、フィルターハウジング、及び出口を含む流路と、
前記流路に沿って前記フィルターハウジングの中に配置された複数のフィルターと、
前記流路及び前記複数のフィルターに空気を通すブロワーと、
制御回路、ユーザーインターフェイス、及びほこりセンサーを含む内蔵型電子部品モジュールであって、前記空気処理システム内での取り付けの前に試験及び校正をすることができる完全なユニットである、前記内蔵型電子部品モジュールと、
を備えることを特徴とする空気処理システム。
【請求項２】
前記ユーザーインターフェイスは、複数の光源と、複数のディスプレイアイコンを画定する画面と、光を前記光源から前記ディスプレイアイコンへ誘導する光ダクトアレイと、を有するデッドフロントディスプレイを含む、ことを特徴とする請求項１に記載の空気処理システム。
【請求項３】
前部カバーをさらに含み、該前部カバーは、前記フィルター及び前記ディスプレイを覆い、前記ディスプレイが前記前部カバーを通して見られることを可能とする半透明部分を含む、ことを特徴とする請求項２に記載の空気処理システム。
【請求項４】
前記半透明部分は半透明窓部である、ことを特徴とする請求項３に記載の空気処理システム。
【請求項５】
前記ディスプレイは複数の表示要素を含み、前記制御回路は、前記空気処理システムの作動モードに応じて異なる各一式の前記表示要素を選択的に点灯させることによって動的ディスプレイを提供するように構成される、ことを特徴とする請求項２に記載の空気処理システム。
【請求項６】
前記デッドフロントディスプレイは複数のタッチセンサーを含む、ことを特徴とする請求項２に記載の空気処理システム。
【請求項７】
前記タッチセンサーのそれぞれは容量性タッチセンサーである、ことを特徴とする請求項６に記載の空気処理システム。
【請求項８】
前記タッチセンサーのそれぞれは透明容量性皮膜を含む、ことを特徴とする請求項７に記載の空気処理システム。
【請求項９】
前記タッチセンサーのそれぞれは回路基板上に配置されたトレース要素を含む、ことを特徴とする請求項６に記載の空気処理システム。
【請求項１０】
前記電子部品モジュールは前記画面を支持するハウジングを含み、前記前部カバーは前記ハウジングと係合し、前記前部カバーと前記ハウジングとの間の係合は前記半透明部分と前記画面との間の整合を提供する、ことを特徴とする請求項３に記載の空気処理システム。
【請求項１１】
前記ほこりセンサーは前記流路に連通する入口を含み、該入口は前記フィルターの上流で前記流路に配置され、空気は前記ブロワーによって前記ほこりセンサーを通して引き込まれて前記出口を通して排出される前に処理される、ことを特徴とする請求項１に記載の空気処理システム。
【請求項１２】
前記電子部品モジュールは前記画面を支持するハウジングを含み、前記ほこりセンサーは前記ハウジングに取り付けられて環境に露出されたほこりセンサー入口を含む、ことを特徴とする請求項１１に記載の空気処理システム。
【請求項１３】
前記ディスプレイは、フィルター寿命ディスプレイ、ブロワー速度ディスプレイ、及びほこりレベルディスプレイを含む、ことを特徴とする請求項２に記載の空気処理システム。
【請求項１４】
前記表示要素のそれぞれは、光源、光ダクト、及び画面を含み、該画面はマスク層及び拡散層を含み、前記光源は点灯されたときに前記半透明部分を通り抜けるのに充分な輝度のものであり、前記半透明部分は前記光源が点灯されないときに不透明な外観を呈する、ことを特徴とする請求項３に記載の空気処理システム。
【請求項１５】
前記表示要素のそれぞれは、光源、光ダクト、及び画面を含み、該画面はマスク層及び拡散層を含み、前記光源は、点灯されたときに前記半透明窓部を通り抜けるのに充分な輝度のものであり、前記画面は前記光源が点灯されないときに前記不透明窓部によって隠される、ことを特徴とする請求項４に記載の空気処理システム。
【請求項１６】
前記表示要素の少なくとも１つは容量性皮膜の区分を含み、前記制御回路は前記容量性皮膜の区分から取られた測定結果に基づいてタッチを判定することが可能である、ことを特徴とする請求項１４に記載の空気処理システム。
【請求項１７】
前記容量性皮膜は前記電子部品モジュール内に含まれる、ことを特徴とする請求項１６に記載の空気処理システム。
【請求項１８】
前記表示要素の少なくとも１つは、前記表示要素のための前記光ダクトの回りに少なくとも部分的に延びるトレース要素を含み、前記制御回路は前記トレース要素から得られた測定結果に基づいてタッチを判定することが可能である、ことを特徴とする請求項１４に記載の空気処理システム。
【請求項１９】
前記制御回路は、前記前部カバーが取り外されたときを判定するためのインターロックを含み、前記制御回路は前記容量性皮膜の区分から得られた測定結果と閾値との比較に基づいてタッチを認識し、前記制御回路は、前記前部カバーが存在するときの第１の閾値と、前記前部カバーが取り外されたときに前記第１の閾値とは異なる第２の閾値とに基づいて作動することを特徴とする請求項１６に記載の空気処理システム。
【請求項２０】
前記インターロックは前記電子部品モジュールにおけるホール効果センサーを含み、前記前部カバーは、前記前部カバーが取り付けられたときに前記ホール効果センサーに影響を与えるように配置された磁石を含む、ことを特徴とする請求項１９に記載の空気処理システム。
【請求項２１】
前記制御回路は前記前部カバーが取り外されたときを判定するための容量性センサーを含み、前記制御回路は、前記トレース要素から得られた測定結果に基づいてタッチを認識し、前記前部カバーが存在するときの第１の閾値と、前記前部カバーが取り外されたときに前記第１の閾値とは異なる第２の閾値とに基づいて作動する、ことを特徴とする請求項１８に記載の空気処理システム。
【請求項２２】
ＲＦＩＤリーダー／ライターをさらに含み、前記ＲＦＩＤリーダー／ライターは、隣接する前記フィルターハウジングの中に配置され、前記制御回路は、前記フィルターの少なくとも１つに含まれるＲＦＩＤタグ上のフィルター寿命データを維持するために前記ＲＦＩＤリーダー／ライターを作動させるように構成される、ことを特徴とする請求項１に記載の空気処理システム。
【請求項２３】
前記制御回路は、前記フィルターの少なくとも１つに含まれるＲＦＩＤタグから連番を得るために前記ＲＦＩＤリーダー／ライターを作動させるように構成される、ことを特徴とする請求項２２に記載の空気処理システム。
【請求項２４】
前記光源は少なくとも２つの発光要素を含み、前記表示要素のそれぞれが少なくとも２つの異なる状態で点灯されることが可能である、ことを特徴とする請求項１４に記載の空気処理。
【請求項２５】
前記電子部品モジュールは無線トランシーバーを含み、前記制御回路は、前記無線レシーバーを通して遠隔電子装置から操作者の入力を受信することが可能である、ことを特徴とする請求項１に記載の空気処理システム。
【請求項２６】
前記電子部品モジュールは無線トランシーバーを含み、前記制御回路は、前記無線レシーバーを通して遠隔電子装置から操作者の入力を受信することが可能であり、また、前記空気処理システムに関する情報を遠隔電子装置に送信することが可能である、ことを特徴とする請求項１記載の空気処理システム。
【請求項２７】
空気処理システムであって、
フィルターハウジングを含み、出口を画定するシステムハウジングと、
前記フィルターハウジングの中に配置された複数のフィルターと、
前記複数のフィルターに空気を通すブロワーと、
ディスプレイをもった電子部品モジュールを有する制御システムであって、前記電子部品モジュールは前記ブロワーの作動を制御する、制御システムと、
前記フィルター及び前記電子部品モジュールを覆って配置される前部カバーであって、前記ディスプレイを覆い、デッドフロントディスプレイを提供する半透明部分を有する、前部カバーと、
を備えることを特徴とする空気処理システム。
【請求項２８】
前記半透明部分は前記前部カバーに装着された窓部によって画定される、ことを特徴とする請求項２７に記載の空気処理システム。
【請求項２９】
前記前部カバーは、中心を有すると共に略凸状であり、前記複数のフィルターから前記中心に向かって前記入口の近くでより遠くなる、ことを特徴とする請求項２７に記載の空気処理システム。
【請求項３０】
前記前部カバーは、該前部カバーを前記電子部品モジュールに固定する機械式アタッチメントを含む、ことを特徴とする請求項２７に記載の空気処理システム。
【請求項３１】
前記ディスプレイは、複数の光源と、複数のディスプレイアイコンを画定する画面と、光を前記光源から前記ディスプレイアイコンに誘導する光ダクトアレイとを含み、前記画面は前記前部カバーの前記半透明部分に直接隣接して配置される、ことを特徴とする請求項３０に記載の空気処理システム。
【請求項３２】
前記前部カバーは上部及び底部を有し、前記前部カバーは、前記上部を前記電子部品モジュールに固定する機械式アタッチメントと、前記底部を前記フィルターハウジングに固定する磁気式アタッチメントとを含む、ことを特徴とする請求項２７に記載の空気処理システム。
【請求項３３】
前記前部カバーは、前記前部カバーがいつ存在しているかを前記制御システムが判定することを可能とするインターロックを含む、ことを特徴とする請求項２７に記載の空気処理システム。
【請求項３４】
前記インターロックは磁石及びホール効果センサーを含む、ことを特徴とする請求項３３に記載の空気処理システム。
【請求項３５】
前記前部カバーは、成形熱可塑性樹脂であり、塗料及び膜の少なくとも１つによって覆われた外面を有する、ことを特徴とする請求項３４に記載の空気処理システム。
【請求項３６】
前記前部カバーは、前記ブロワーによって空気が前記システムハウジングに引き込まれる入口を画定し、底部縁端及び一対の側部縁端を有しており、該底部縁端及び該側部縁端は、空気が前記ブロワーによって前記システムに引き込まれることを可能とする追加的な入口を画定するように前記システムハウジングから間隔を空けている、ことを特徴とする請求項２７に記載の空気処理システム。
【請求項３７】
空気処理システムであって、
前部及び後部を有し、前記前部が入口を画定し、前記後部が出口を画定する、システムハウジングと、
前記フィルターハウジングの中に配置された複数のフィルターと、
前記複数のフィルターに空気を通すブロワーと、
ディスプレイを有し、前記ブロワーの作動を制御する制御システムと、
前記システムハウジングの底部に付けられた基部であって、前記システムハウジングの前記後部寄りに配置された複数の固定足部と、前記フィルターハウジングの前部中心寄りに配置されたローラーとを有する、基部と、
前記システムハウジングの前記後部の上部寄りに配置されたハンドルであって、中心ハンドルと、前記中心ハンドルの両側部に配置された一対の側部ハンドルとを含む、ハンドルと、
を備えることを特徴とする空気処理システム。
【請求項３８】
前記基部は前記電源コードを手動で巻くためのボビンを含み、該ボビンは前記後部寄りに配置される、ことを特徴とする請求項３７に記載の空気処理システム。
【請求項３９】
前記ハンドルは成形された一体形構造である、ことを特徴とする請求項３８に記載の空気処理システム。
【請求項４０】
空気処理システムであって、
フィルターハウジングと、
前記ハウジングに嵌めこまれたフィルターであって、前記フィルターは、枠部と前記枠部に回転可能に取り付けられたクリップとを有し、前記クリップは、開位置と閉位置との間で手動で動作可能であり、前記クリップは、該クリップが前記開位置から前記閉位置に動くに従い前記フィルターを前記フィルターハウジングに引き込むよう、及び前記閉位置にあるときに前記フィルターハウジングの中で前記フィルターを固定するよう、前記フィルターハウジングと相互作用するように構成される、フィルターと、
を備えることを特徴とする空気処理システム。
【請求項４１】
前記フィルターハウジングはロック用突出部を含み、前記クリップは前記閉位置にあるときに前記ロック用突出部に係合するように構成されるフックを含む、ことを特徴とする請求項４０に記載の空気処理システム。
【請求項４２】
前記クリップ及び前記ロック用突出部は、前記フックが部分的に前記開位置と前記閉位置の間の動きを通して前記ロック用突出部との最初の係合に入るよう、及び前記最初の係合に続く前記閉位置への前記クリップの連続した動きが前記フィルターを前記フィルターハウジングに引き込むよう構成される、ことを特徴とする請求項４１に記載の空気処理システム。
【請求項４３】
前記フィルターハウジングは肩部を含み、前記フィルターは前記肩部に係合された端面シールを含み、前記フィルターハウジングへの前記フィルターの引き込みが前記端面シールを前記肩部に押し付ける、ことを特徴とする請求項４２に記載の空気処理システム。
【請求項４４】
前記フックと前記ロック用突出部は、前記クリップが前記開位置から前記閉位置に動かされる際に前記フックが前記クリップの回りで変形するように構成され、該変形は、前記閉位置に出入りする前記クリップの動きに抵抗するスナップ嵌め係合を生み出す、ことを特徴とする請求項４３に記載の空気処理システム。
【請求項４５】
前記フィルターは前記クリップに隣接して配置されるロック用ピンを含み、前記クリップは、該クリップが前記閉位置に出入りする前記クリップの動きに抵抗するスナップ嵌め係合を生み出す前記閉位置にあるときに、前記ロック用ピンと嵌合するように構成される外面を含む、ことを特徴とする請求項４３に記載の空気処理システム。
【請求項４６】
前記外面は歯部を含み、該歯部は、前記閉位置で前記クリップを固定するように前記ロック用ピンと相互作用する、ことを特徴とする請求項４５に記載の空気処理システム。
【請求項４７】
前記外面は受け部を画定し、前記ロック用ピンと前記受け部は、前記クリップが前記閉位置にあるときに嵌合される、ことを特徴とする請求項４５に記載の空気処理システム請。
【請求項４８】
前記外面は止め部を含み、該止め部は前記ロック用ピンと係合して前記クリップの動きの範囲を制限するように構成される、ことを特徴とする請求項４７に記載の空気処理システム。
【請求項４９】
前記クリップは前記フィルターの一端部寄りに配置され、前記フィルターは前記フィルターの反対側の端部寄りに配置される留め部を含み、該留め部は前記枠部から突出して前記フィルターハウジングと係合するように構成され、前記フィルターは、前記留め部を前記フィルターハウジングに嵌め込み、かつ前記クリップを前記開位置から前記閉位置に動かして前記フィルターハウジングの中に固定される、ことを特徴とする請求項４０に記載の空気処理システム。
【請求項５０】
前記フィルターは、前記枠部の両側部に配置される２つのクリップを含み、前記フィルターは、前記クリップから遠隔にある前記枠部から突出する留め部を含む、ことを特徴とする請求項４０に記載の空気処理システム。
【請求項５１】
前記フィルターは前記フィルターの上部中心の近くに配置された１つのクリップを含む、ことを特徴とする請求項４０に記載の空気処理システム。
【請求項５２】
空気処理システムのフィルターであって、
上部と、底部と、一対の両側部とを有する枠部と、
前記枠部によって支持されるフィルター媒体と、
前記枠部から突出する留め部と、
前記枠部に回転可能に取り付けられた保持クリップであって、該クリップは、開位置と閉位置の間で手動で動作可能であり、前記クリップは、前記フィルターを前記フィルターハウジングに引き込み、かつ前記閉位置にあるときに前記フィルターを前記フィルターハウジングの中に固定するようフィルターハウジングと相互作用するように構成される、クリップと、
を備えることを特徴とするフィルター。
【請求項５３】
前記留め部は前記枠部の前記底部に配置され、前記クリップは前記枠部の前記上部寄りに配置される、ことを特徴とする請求項５２に記載のフィルター。
【請求項５４】
前記クリップは、前記閉位置にあるときに前記フィルターハウジングに係合するように構成されるフックを含む、ことを特徴とする請求項５３に記載のフィルター。
【請求項５５】
前記フックは、前記クリップが前記開位置から前記閉位置に動かされる際に前記フックが変形するように構成され、該変形は前記閉位置に出入りする前記クリップの動きに抵抗するスナップ嵌め係合を生み出す、ことを特徴とする請求項５４に記載のフィルター。
【請求項５６】
前記クリップに隣接して配置されるロック用ピンをさらに含み、前記クリップは、該クリップが前記閉位置に出入りする前記クリップの動きに抵抗するスナップ嵌め係合を生み出す前記閉位置にあるときに、前記ロック用ピンと相互作用するように構成される外面を含む、ことを特徴とする請求項５４に記載のフィルター。
【請求項５７】
前記外面は歯部を含み、前記ロック用ピンは窪みを画定し、前記歯部と前記窪みは、前記クリップが前記閉位置にあるときに嵌合する、ことを特徴とする請求項５６に記載のフィルター。
【請求項５８】
前記外面は受け部を画定し、前記ロック用ピンと前記受け部は、前記クリップが前記閉位置にあるときに嵌合する、ことを特徴とする請求項５６に記載のフィルター。
【請求項５９】
前記外面は止め部を含み、該止め部は前記ロック用ピンと係合して前記クリップの動きの範囲を制限するように構成される、ことを特徴とする請求項５８に記載のフィルター。
【請求項６０】
空気処理システムであって、
入口、フィルターハウジング、及び出口を含む流路と、
前記流路に沿って前記フィルターハウジングの中に配置されたフィルターと、
前記フィルターを覆う前面と、
前記流路及び前記フィルターに空気を通すブロワーと、
ディスプレイを作ることが可能である電子部品モジュールであって、前記ディスプレイは前記前面の背後に配置され、選択的に点灯されることが可能である複数の表示要素を有し、該表示要素は点灯されたときにのみ前記前面を通して見える、電子部品モジュールと、
を備えることを特徴とする空気処理システム。
【請求項６１】
空気処理システムであって、
システムハウジングと、
前記システムハウジングの中に配置されたフィルターと、
前記フィルターを覆う前面部であって、中心入口を画定する前面部と、
前記フィルターに空気を通すブロワーと、
複数の異なる作動モードで作動することが可能である制御システムであって、前記制御システムは複数の情報型表示要素及び複数の入力表示要素とのユーザーインターフェイスを有し、前記ユーザーインターフェイスは前記前面の背後に配置され、前記情報型表示要素及び前記入力表示要素は選択的に点灯されることが可能であり、前記情報型表示要素及び前記入力表示要素は点灯されたときにのみ前記前面を通して見え、前記制御システムは前記作動モードに応じて前記情報型表示要素及び前記入力表示要素の異なるものを点灯させるように構成される、制御システムと、
を備えることを特徴とする空気処理システム。
【請求項６２】
前記情報型表示要素及び前記入力表示要素の少なくとも１つは、第１の状態と第２の状態とで選択的に点灯されることが可能な光源を含む、ことを特徴とする請求項６１に記載の空気処理システム。
【請求項６３】
前記情報型表示要素及び前記入力表示要素の少なくとも１つは、第１の状態と第２の状態とで選択的に点灯されることが可能な光源を含み、前記第１の状態と第２の状態は、色及び輝度の少なくとも１つがお互いに異なる、ことを特徴とする請求項６２に記載の空気処理システム。
【請求項６４】
前記情報型表示要素及び前記入力表示要素の少なくとも１つは、第１の発光要素及び第２の発光要素を有する光源を含み、前記第１の発光要素は第１の点灯状態を提供するように点灯されることが可能であり、前記第２の発光要素は前記第１の点灯状態とは異なる第２の点灯状態を提供するように点灯されることが可能である、ことを特徴とする請求項６１に記載の空気処理システム。
【請求項６５】
前記第１の発光要素は第１の色であり、前記第２の発光要素は前記第１の色とは異なる第２の色である、ことを特徴とする請求項６４に記載の空気処理システム。
【請求項６６】
前記第１の発光要素は第１の輝度であり、前記第２の発光要素は前記第１の輝度とは異なる第２の輝度である、ことを特徴とする請求項６４に記載の空気処理システム。
【発明の詳細な説明】
【技術分野】
【０００１】
本発明は、空気処理システムに関し、より詳しくは可搬式室内用空気濾過システムに関する。
【背景技術】
【０００２】
空気処理システムは、空気の質に対する関心が依然重要な関心事であるため、その需要の成長が続いている。この成長が、商業用及び住宅用空気処理システムの使用の増加につながっている。従来の住宅用空気処理システムは、空気を処理することが望ましい部屋の中に置くことができる、内蔵型ユニットである。住宅用空気処理システムは概して、それに室内の空気を引き込み、その空気を１つ（又は複数）の技術を使って処理し、処理した空気を室内に放出し戻すことによって運転する。処理した空気は、室内全体におけるよりも低い濃度の空中汚染物質を含有する。処理した空気は室内の空気と混合し、そうして室内空気中の汚染物質の濃度は低減される。
【０００３】
空気処理システムは、様々な種類の制御システムを使ったものが入手できる。制御システムは、空気処理システムの作動を制御するため及び操作者の入力を可能とするための、様々な方法を提供する。制御システムの設計及び構成は、空気処理システムの機能及び美的アピールに重要な影響を有することがある。
【０００４】
従来の多くの空気処理システムは、空気の質に関する具体的な問題に対処するように適合された一連の特殊なフィルターを含む。例えば、住宅用空気処理システムはしばしば、前置フィルター、粒子フィルター、及び臭気フィルターを含む。前置フィルターの機能は、典型的には、毛や、ほこりの塊など比較的大きい要素を空気から除去することである。粒子フィルターは典型的には、より小さい空中の粒子を除去するように機能する。粒子フィルターは、種々の構成で入手可能である。例えば、粒子フィルターは、粒子を捉えてＨＥＰＡフィルターとして効果的な不織繊維を使ったひだ状の材料を含んでもよい。臭気フィルターもまた、種々の種類と構成で入手可能である。多くの臭気フィルターは、限定はしないが、多くの有機化学物質など一群の不純物を吸着する活性炭を含む。従来の粒子フィルターと炭素フィルターは、寿命が限られており、時々交換を必要とする。空気処理システムの構造と、空気処理システム内でフィルターを固定するために用いられる機構は、システムの有効性に意味ある影響を有し、フィルターを交換するのに必要となる労力と複雑さに劇的に影響する。
【０００５】
空気処理システムの機能と商業的成功に影響を有し得る他の態様がある。例えば、電源コード操作など便利な特徴や、足部及びハンドルなど可動性の特徴は、ユーザーの経験に影響し得る。
【発明の概要】
【発明が解決しようとする課題】
【０００６】
本発明は、改善された制御システムを有する空気処理システムを提供する。
【課題を解決するための手段】
【０００７】
一実施形態では、制御システムは、きれいで簡素な外観をＡＴＳに与え、改善された制御の経験を容易とする「デッドフロント」ディスプレイを含む。ディスプレイは、ＬＥＤなど下に配置される光源によって選択的に点灯される、複数の情報型表示要素及び複数のタッチセンサーを含んでもよい。所望の図柄を生成させるために、各光源は、マスク層及び拡散層を有する画面によって覆ってもよい。半透明のカバーを制御システムの上に配置して、下の構造を隠し、点灯したときにのみ図柄画像が見えるようにしてもよい。ＡＴＳの前部を閉じる着脱可能な前部カバーに半透明カバーを組み込んでもよい。一実施形態では、電子部品モジュールは、光源からそれに対応する表示要素に光を導くために隣合せに接合した複数の個々のダクトを有する光ダクトアセンブリーを含む。
【０００８】
一実施形態では、タッチセンサーは、容量性センサーである。かかる実施形態では、インジウムスズ酸化物で被覆した透明ＰＥＴ膜など容量性皮膜を、各光源の上にある構造の中に組み込んでもよい。例えば、各光源を、マスク層及び拡散層を含む積層画面で覆ってもよく、容量性皮膜を画面の追加的な層として実装してもよい。他の例としては、容量性皮膜は、画面から分離していてもよく、それが操作者の指の存在を感知することの可能な画面の上又は下に位置していてもよい。代替的な一実施形態では、伝導性トレース要素を、各光源の上にある構造の中に組み込んで、容量性センサーとして機能させるようにしてもよい。例えば、プリント基板（「ＰＣＢ」）を、光ダクトアレイの上に配置してもよい。ＰＣＢは、個々の光ダクトそれぞれの上に開口部を画定してもよく、入力表示要素のための光ダクトに関連づけられたトレース要素を各開口部の周りに含んでもよい。ＰＣＢはまた、近接センサーとして機能するのに充分感度のある容量性センサーを設けるために、ＰＣＢの面のかなりの部分に延びる比較的大きい伝導性トレース要素を含んでもよい。近接センサーは、操作者（例えば、操作者の手）の存在をディスプレイの約２フィート（６０．９６ｃｍ）内に感知するように構成してもよい。
【０００９】
一実施形態では、ＡＴＳは、ディスプレイの上に位置する着脱可能な前部カバーを有し、制御システムは、カバーが取り付けられているか否か又は取り外されているか否かに従ってタッチを異なるように認識するよう構成される。これによって、ユーザーには、カバーが正しい位置にあろうとなかろうとシステムを制御することが可能となる。一実施形態では、制御システムは、カバーが取り付けられているか否かに従って、異なる一式の制御オプションを可能とするように構成される。例えば、制御システムは、カバーが取り外されているとき、少なくした一式の制御オプション及び／又は追加的な制御オプションを提供してもよい。制御システムは、近接センサーなど１つ又は複数の容量性タッチセンサーを用いて、カバーが取り付けられているか取り外されているかを認識することができる。
【００１０】
一実施形態では、制御システムは、電子部品モジュールの中に組み込まれたほこりセンサーを含む。ほこりセンサーは、ＡＴＳのブロワーが作り出す部分的真空の力で空気がほこりセンサーの中に引き込まれるように、配置することができる。ほこりセンサーを通過した後、空気は、フィルターを通過し、処理された状態で室内に戻される。あるいは、ほこりセンサーは、ＡＴＳが排出する処理された空気の流れの力で空気がほこりセンサーの中に引き込まれるように、配置してもよい。
【００１１】
他の一態様では、本発明は、前部カバーに磁気式インターロックを設け、これによって、容易な取り付け及び取り外しを可能とするだけでなく、カバーが取り付けられているか否かを制御システムに認識させることを可能とする。一実施形態では、前部カバーは、上部には１つ又は複数の機械式取付部を、底部には１つ又は複数の磁気式取付部を含む。機械式取付部は、ＡＴＳのハウジング中の対応する構造に留まるように構成される縁部を含んでもよい。例えば、縁部は、前部カバーと電子部品モジュールの間にぴったりとした整合を確実にするのに役立つように電子部品モジュールに留まってもよい。留め部のサイズ、形状、及び構成は種々あり得る。例えば、それは前部カバーの幅全体に延びていてもよく、あるいはそれは前部カバーの中心部分にのみ延びていてもよい。他の一例としては、縁部は、前部カバーと一体的に形成されてもよく、製造後に前部カバーに取り付けられる別個の構成部品であってもよい。前部カバーは、不透明な外観を提供しながら同時にディスプレイからの光が通り抜けられるように構成される、半透明なプラスチックから製造してもよい。一実施形態では、前部カバーの露出面は、インモールド膜法を用いて塗布された膜で覆ってもよい。他の一実施形態では、露出面は、スプレー法又は直接転移法（即ち、シルクスクリーン印刷若しくはパッド印刷、又は熱フィルム転移）を用いて塗料の薄層で覆ってもよい。あるいは、前部カバーは、略不透明であってもよく、ディスプレイの上にある窓部を含んでもよい。窓部は、不透明な外観を提供しながら同時にディスプレイからの光が通り抜けられるように構成される、半透明なプラスチックから製造してもよい。一実施形態では、窓部の露出面は、インモールド膜法を用いて塗布された膜で覆ってもよい。他の一実施形態では、窓部の露出面は、スプレー法又は直接転移法（即ち、シルクスクリーン印刷若しくはパッド印刷、又は熱フィルム転移）を用いて塗料の薄層で覆ってもよい。
【００１２】
他の一態様では、本発明は、交換可能な基部をもったＡＴＳハウジングを提供する。基部の数及び様式は種々あり得るが、一実施形態ではＡＴＳは、電源コードを受け入れるための異なる構造及び／又はＡＴＳを支持するための異なる足部を提供する複数の基部を含んでもよい。電源コードについては、ＡＴＳは、電源コードを手動で巻くための構造か又は自動巻取りリール付き格納可能コードアセンブリーをもった基部かを受け入れることが可能であってもよい。足部については、基部は、固定足部、キャスター、ホイール、及び／又は単一の細長いローラーを含んでもよい。交換可能な基部の代わりとして、基部は、ＡＴＳに組み込まれてもよく、足部及び単一の細長いローラーを含んでもよい。ＡＴＳは、ハウジングの上部後部にハンドルを含んでもよい。一実施形態では、ハンドルは、基本的にＡＴＳの全幅に延びていてＡＴＳが片手で中心を掴まれるか又は両手で両側部寄りを掴まれることを可能としてもよい。
【００１３】
他の一態様では、本発明は、フィルターの容易で確実な取り付けを可能とするフィルター保持器アセンブリーを提供する。本実施形態では、ＡＴＳは、粒子フィルター及び活性炭フィルターを含む。まず活性炭フィルターがフィルターハウジングに嵌め込まれ、粒子フィルターが、炭素フィルターを覆うようにフィルターハウジングに嵌め込まれる。粒子フィルターは、その外周で、ＡＴＳ中の対応する構造と相互作用する１つ又は複数のクリップによってＡＴＳハウジングに固定される。１つ又は複数のクリップが、粒子フィルター及び炭素フィルターを正しい位置に堅く締めるようにカム状に働くよう、構成してもよい。ＡＴＳはまた、粒子フィルターにスナップ嵌めされる前置フィルターを含んでもよい。前置フィルターは、格子状の前置フィルター保持器によって支持される目の粗いフィルター媒体を含んでもよい。
【００１４】
本発明は、改善された制御システムをもったＡＴＳを提供する。内蔵型電子モジュールの使用により、ＡＴＳの取り付け及び組立ての前に電子部品の試験及び校正が可能となる。それはまた、必要に応じて、電子モジュールの交換を容易とする。例えば、一体式ダクト系統とともに基板に取り付けられたほこりセンサーを使用することにより、ほこりセンサーを別途取り付けてそのほこりセンサーを電子部品モジュールに配線する必要がなくなる。制御システムは、容量性タッチセンサーを一体的に有する「デッドフロント」ディスプレイを含む。これにより、可動部のない完全に密封された電子部品モジュールが可能になり、信頼性の向上を提供する。「デッドフロント」ディスプレイの使用により、モードからモードへ変化する動的ディスプレイが可能になり、改善された美観を提供するだけでなく、ディスプレイを簡素化して１つのモードから他のモードへの容易な操作を促進する。複数の色又は輝度のオプションの付いたＬＥＤの使用により、使用に応じて異なる構成で表示要素を点灯させることが可能になる。無線接続性により、スマートフォン及びタブレットなど遠隔装置を使って、履歴トレンドのデータロギング及びモニタリングを含めた制御やデータ交換が、見通し線（ｌｉｇｈｔ  ｏｆ  ｓｉｇｈｔ）も赤外線透過性プラスチックも必要とせずに可能となる。ＲＦＩＤタグは、フィルターの寿命及び製品有効性の追跡監視の改善を提供し、操作者の介入なしにフィルター寿命のリセットを可能にし得る。ほこりセンサーは、ブロワー速度を制御するだけでなく、より正確なフィルター寿命計算を提供するために用いてもよい。他の一態様では、ＡＴＳは、取付部に届くように深くかがんだりひざをついたりする必要なく、片手で容易に取り外し及び取り付けができる前部パネルを含む。前部カバーは、少なくとも部分的に半透明であるか、又は部分的に半透明な窓部を有するかすることによって、電子部品モジュールを覆って「デッドフロント」ディスプレイを提供することができる。さらに、側部及び中心の入口により空気がＡＴＳに自由に入ることが可能となる。他の一態様では、交換可能な基部を設けることにより、様々な用途と様々な好みをもった顧客とのためにＡＴＳを容易にカスタマイズすることが可能となる。これが、更なる柔軟性と、異なる特徴をもった型式間における迅速な切換えとを提供する。例えば、足部の種類は種々あり得、コード操作の特徴の種類も種々あり得る。おおよそＡＴＳの幅に対して延びる一体形のハンドルの使用は、種々の利点を提供する。それにより、操作者が片手又は両手で手首／手の角度をいろいろにしてＡＴＳを操作することが可能となる。また、それは、ＡＴＳの片持ち梁特徴部の下に構造的強化を提供するように形成することができる。一実施形態では、基部は、片手をハンドルの中心にかけてＡＴＳを容易に動かすことを可能とするキャスター又は中心ローラーを含むことができる。他の一態様では、本発明は、ＡＴＳの粒子フィルターを固定するための、クリップの簡単で効果的な配置を提供する。１つ又は複数のクリップをフィルターの上部寄りに配置し、留め部を底部寄りに配置することによって、深くかがんだりひざをついたりすることなくフィル��ーを固定したり開放したりすることができる。１つ又は複数のクリップは、フィルターが密封面に係合するときに自動的にそれらをより密着係合させることによって、改善された密封を提供し得る。１つ又は複数のクリップはまた、一方向にのみ働き、それによって、フィルターが正しい向きに取り付けられることを確実にする。
【００１５】
本実施形態の記載及び図面の参照により、本発明のこれら及び他の目的、利点、及び特徴をより充分に理解及び認識されたい。
【００１６】
本発明の実施形態を詳細に説明する前に、以下の記載に明記されるか又は図面に例示される構成要素の、作動の詳細又は構造の詳細、及び配置に、本発明が限定されないことを理解されたい。本発明は、他の種々の実施形態、及び本明細書に明示的に開示されない代替的方法で実践するか又は行う実施形態で実行してもよい。また、本明細書で使用される語句及び用語は、記載を目的としており、限定的であるとはみなされないものとすることを理解されたい。「含む（ｉｎｃｌｕｄｉｎｇ）」及び「備える（ｃｏｍｐｒｉｓｉｎｇ）」及びその変形の使用は、その後に列記される項目及びそれらの均等物、並びに追加的項目及びそれらの均等物を包含することを意図する。さらに、種々の実施形態の記載において列挙を用いてもよい。他に明示的に断りがなければ、列挙の使用は、本発明をいかなる具体的な順序又は数の構成要素にも限定しないとして解釈されるものとする。また、列挙の使用は、列挙されたステップ又は構成要素とともにかその中にか組み合せられ得るいかなる追加的なステップ又は構成要素をも本発明の範囲から除くとは解釈されないものとする。「Ｘ、Ｙ、及びＺの少なくとも１つ」として請求要素になされる言及はいずれも、Ｘ、Ｙ、又はＺから任意の単独の１つ、並びにＸ、Ｙ、及びＺの任意の組合せ、例えば、Ｘ、Ｙ、Ｚ；Ｘ、Ｙ；Ｘ、Ｚ；及びＹ、Ｚを含むことを意図する。
【図面の簡単な説明】
【００１７】
【図１Ａ】本発明の一実施形態によるＡＴＳの前面斜視図である。
【図１Ｂ】ＡＴＳの背面斜視図である。
【図２】ＡＴＳから取り外された前部カバー及びフィルターを示す、ＡＴＳの分解斜視図である。
【図３】図１の線３−３に沿って取った、ＡＴＳの断面図である。
【図４】電子部品モジュールの概略説明図である。
【図５】電子部品モジュールの前面図である。
【図６】カバーを取り外した電子部品モジュールの斜視図である。
【図７】電子部品モジュールの分解斜視図である。
【図８】要素が点灯されていない「デッドフロント」ディスプレイを示す、ＡＴＳの一部の斜視図である。
【図９Ａ】全ての表示要素の概要を示す、ディスプレイの前面図である。
【図９Ｂ】「オン（ｏｎ）」状態で点灯している全ての表示要素を示す、ディスプレイの前面図である。
【図１０】異なる状態で点灯している種々の要素を示す「デッドフロント」ディスプレイを示す、ＡＴＳの一部の斜視図である。
【図１１】電源停止のときのディスプレイの前面図である。
【図１２】夜間モードのときのディスプレイの前面図である。
【図１３】本発明の一実施形態による制御方式の概略説明図である。
【図１４】代替的制御方式の概略説明図である。
【図１５】第２の代替的制御方式の概略説明図である。
【図１６】空気入口を示す、ＡＴＳの前面斜視図である。
【図１７Ａ】前部カバーを取り外す代替的方法を示す図である。
【図１７Ｂ】前部カバーを取り外す代替的方法を示す図である。
【図１８】前部カバーの背面斜視図である。
【図１９Ａ】前部カバーとＡＴＳの間の上部取付部を示す断面図である。
【図１９Ｂ】前部カバーとＡＴＳの間の上部取付部を示す断面図である。
【図２０Ａ】前部カバーとＡＴＳの間の底部取付部を示す断面図である。
【図２０Ｂ】前部カバーとＡＴＳの間の底部取付部を示す断面図である。
【図２１】ＡＴＳ及び３つの交換可能な基部を示す部分的分解前面斜視図である。
【図２２】ＡＴＳ及び３つの交換可能な基部を示す部分的分解背面斜視図である。
【図２３】固定足部のついた基部を示す底面斜視図である。
【図２４】キャスターのついた基部を示す底面斜視図である。
【図２５】固定足部とローラーのついた基部を示す底面斜視図である。
【図２６】ハンドルと、ハンドルを含むＡＴＳの一部との斜視図である。
【図２７】前部カバー及び前置フィルターを取り外したＡＴＳの斜視図である。
【図２８Ａ】粒子フィルターを取り外す種々の段階を示す種々の図である。
【図２８Ｂ】粒子フィルターを取り外す種々の段階を示す種々の図である。
【図２８Ｃ】粒子フィルターを取り外す種々の段階を示す種々の図である。
【図２８Ｄ】粒子フィルターを取り外す種々の段階を示す種々の図である。
【図２９Ａ】粒子フィルターの斜視図である。
【図２９Ｂ】粒子フィルターの側面立面図である。
【図３０Ａ】本発明の一実施形態によるフィルター掛け部の動作を表す一連の図である。
【図３０Ｂ】本発明の一実施形態によるフィルター掛け部の動作を表す一連の図である。
【図３０Ｃ】本発明の一実施形態によるフィルター掛け部の動作を表す一連の図である。
【図３０Ｄ】本発明の一実施形態によるフィルター掛け部の動作を表す一連の図である。
【図３１Ａ】代替的な一実施形態によるフィルター掛け部の動作を表す一連の図である。
【図３１Ｂ】代替的な一実施形態によるフィルター掛け部の動作を表す一連の図である。
【図３１Ｃ】代替的な一実施形態によるフィルター掛け部の動作を表す一連の図である。
【図３１Ｄ】代替的な一実施形態によるフィルター掛け部の動作を表す一連の図である。
【図３２Ａ】第２の代替的な一実施形態によるフィルター掛け部の動作を表す一連の図である。
【図３２Ｂ】第２の代替的な一実施形態によるフィルター掛け部の動作を表す一連の図である。
【図３２Ｃ】第２の代替的な一実施形態によるフィルター掛け部の動作を表す一連の図である。
【図３２Ｄ】第２の代替的な一実施形態によるフィルター掛け部の動作を表す一連の図である。
【図３３Ａ】本発明の代替的な一実施形態によるＡＴＳの前面斜視図である。
【図３３Ｂ】代替的なＡＴＳの背面斜視図である。
【図３４】取り外された前部カバー及びフィルターを示す、代替的なＡＴＳの分解斜視図である。
【図３５】図３３Ａの線３５−３５に沿って取った、代替的なＡＴＳの断面図である。
【図３６】代替的なＡＴＳの電子部品モジュールの概略説明図である。
【図３７】代替的なＡＴＳのディスプレイアセンブリーの斜視図である。
【図３８】代替的なＡＴＳのディスプレイアセンブリーの部分的分解斜視図である。
【図３９】電子部品モジュールの分解斜視図である。
【図４０】要素が点灯されていない「デッドフロント」ディスプレイを示す、代替的なＡＴＳの斜視図である。
【図４１】「デッドフロント」ディスプレイを、全ての表示要素の概要とともに示す、代替的なＡＴＳの斜視図である。
【図４２】「デッドフロント」ディスプレイを、全ての表示要素の概要とともに示す、代替的なＡＴＳの上部斜視図である。
【図４３】代替的な実施形態による制御方式の概略説明図である。
【図４４】空気入口を示す、代替的なＡＴＳの前面斜視図である。
【図４５Ａ】代替的なＡＴＳの前部カバーを取り外す代替的方法を示す、図である。
【図４５Ｂ】代替的なＡＴＳの前部カバーを取り外す代替的方法を示す、図である。
【図４６Ａ】前部カバーの背面斜視図である。
【図４６Ｂ】前部カバーの分解斜視図である。
【図４７】代替的なＡＴＳの底部の部分的断面図である。
【図４８Ａ】取り付け板の斜視図である。
【図４８Ｂ】取り付け板の上面平面図である。
【図４９】フィルターハウジングの一部及び上部ハウジングの一部の分解斜視図である。
【図５０】前部カバー及び前置フィルターを取り外したＡＴＳの斜視図である。
【図５１Ａ】粒子フィルターの斜視図である。
【図５１Ｂ】粒子フィルターの前面図である。
【図５１Ｃ】粒子フィルターの側面立面図である。
【図５１Ｄ】粒子フィルターの上面平面図である。
【図５２Ａ】粒子フィルターの取り外しの異なる段階を示す種々の図である。
【図５２Ｂ】粒子フィルターの取り外しの異なる段階を示す種々の図である。
【図５２Ｃ】粒子フィルターの取り外しの異なる段階を示す種々の図である。
【図５２Ｄ】粒子フィルターの取り外しの異なる段階を示す種々の図である。
【図５３Ａ】代替的なフィルター掛け部の動作を表す一連の図である。
【図５３Ｂ】代替的なフィルター掛け部の動作を表す一連の図である。
【図５３Ｃ】代替的なフィルター掛け部の動作を表す一連の図である。
【図５３Ｄ】代替的なフィルター掛け部の動作を表す一連の図である。
【発明を実施するための形態】
【００１８】
［Ａ．概要］
本発明の一実施形態による空気処理システム（air treatment system、 「ＡＴＳ」）を図１に示す。例示する実施形態のＡＴＳ１０は概して、前置フィルター１００、粒子フィルター１０２、及び活性炭フィルター１０４を含む。ＡＴＳ１０にはまた、空気を環境からＡＴＳ１０に引き込み、空気をフィルターに通し、濾過した空気を環境に戻すブロワー５６を含む。
【００１９】
例示する実施形態のＡＴＳ１０は、「デッドフロント」ディスプレイ１６を提供する電子部品モジュール１４を有する制御システム１２を含む。本実施形態のディスプレイ１６は、制御システム１２によって選択的に点灯されて動的内容を提供することのできる複数のディスプレイ要素１８を含む。表示要素１８のいくつかは、操作者の入力を可能とするタッチセンサー２０を含んでもよい。本実施形態では、電子部品モジュール１４は、表示要素１８にそれぞれ独自に割り当てられる、ＬＥＤなど複数の光源２２を含む。各光源２２を、マスク層２６及び拡散層２８を有する画面２４によって覆ってもよい。各タッチセンサー２０はまた、光源２２の上に位置する容量性皮膜３０を含んでもよい。本実施形態では、「デッドフロント」の外観を、下の構造を隠して、点灯されたときにのみ表示要素１８が見えるようにする半透明な前部カバー３２によって作り出してもよい。
【００２０】
他の一態様では、前部カバー３２は、機械式と磁気式の取付部の組合せを用いてＡＴＳ１０ハウジング３４に固定される。例示する実施形態の機械式取付部は、前部カバー３２の上部には縁部３６を、前部カバー３２の底部には一対の磁石９０を含む。縁部３６は、ＡＴＳハウジング１１０中の対応する構造に留まるように構成される。使用において、機械式と磁気式の取付部の組合せにより、前部カバー３２は、立った姿勢の操作者に容易に取り外し及び取り付けができる。
【００２１】
なおも他の一態様では、ＡＴＳ１０は、複数の交換可能な基部４０の１つを受け入れることができる。異なる各基部４０は、電源コード４２を受け入れるための異なる構造及び／又はＡＴＳ１０を支持するための異なる構造を設けてもよい。図１０では、ＡＴＳ１０は、手動で電源コード４２を巻くためのボビン４４と固定足部４６とを有する基部４０を含む。代替的な基部４０’、４０”は、自動巻取りリール付きコード格納アセンブリー、及び／又はホイール、キャスター、若しくはローラーを含んでもよい（例えば図２５参照）。ＡＴＳ１０はまた、基本的にＡＴＳ１０の全幅に延びていてＡＴＳ１０が片手で中心を掴まれるか又は両手で両側部寄りを掴まれるかすることを可能とする一体形ハンドル４８を含んでもよい。代替的な一実施形態では、基部４０”は、コード格納アセンブリー４５”及び中心に配置された単一のローラー４７”を含む。この代替的基部では、ＡＴＳ１０を、ローラー４７”上で前傾させ、ハンドル４８を用いて１つの位置から他の位置へ転がすことができる。
【００２２】
他の一態様では、ＡＴＳ１０は、１つ又は複数のフィルターの迅速及び確実な取り付け及び取り外しを容易とするフィルター保持器アセンブリー５０を含む。例示する実施形態のフィルター保持器アセンブリー５０は、留め部５２と、粒子フィルター上に配置され、ＡＴＳハウジング１１０の構造と相互作用してフィルターハウジング１１２中の正しい位置に粒子フィルターを固定する複数のクリップ５４とを含む。クリップ５４は、粒子フィルターをフィルターハウジング１１２に引き込み、容易であって、気密の密封であるように、カム状に働いてもよい。
【００２３】
「垂直な（ｖｅｒｔｉｃａｌ）」、「水平な（ｈｏｒｉｚｏｎｔａｌ）」、「上部（ｔｏｐ）」、「底部（ｂｏｔｔｏｍ）」、「上寄り（ｕｐｐｅｒ）」、「下寄り（ｌｏｗｅｒ）」、「内部の（ｉｎｎｅｒ）」、「内向きに（ｉｎｗａｒｄｌｙ）」、「外部の（ｏｕｔｅｒ）」、及び「外向きに（ｏｕｔｗａｒｄｌｙ）」など、方向に関する用語は、例示に示す実施形態の方向表示に基づいて本発明を記載するのを助けるために用いられる。方向に関する用語の使用は、いかなる１つ又は複数の具体的な方向にも本発明を限定すると解釈されないものとする。
【００２４】
［Ｂ．全般的構造］
上記の通り、本発明は、一連のフィルター１００、１０２、及び１０４に空気を通すようにブロワー５６を作動させることによって全般的機能を働かせる室内空気処理システムとの関連において記載される。例示する実施形態の空気処理システム１０は、３段階の濾過で空気を処理するように構成される。第１の段階は、粗い網目の前置フィルター１００であり、これは、毛、綿繊維、及び大きい塊となったほこり（例えば「ほこり玉（ｄｕｓｔ−ｂｕｎｎｉｅｓ）」）など、大きい異物を除去することを意図する。濾過の第２の段階は、粒子フィルター１０２である。粒子フィルター１０２の仕様は種々あり得るが、例示するＡＴＳ１０はひだ状ＨＥＰＡフィルター媒体を含み、これは０．００９ミクロンもの小さい空中粒子を低減させる。濾過の第３段階は、ホルムアルデヒド、ダイオキシン、及びオゾンなど、分子汚染物質を吸着及び変換する種々の触媒で被覆した果粒状活性炭小片の下敷きを含む活性炭フィルター１０４である。炭素フィルター１０４は、２００８年１月８日にＴａｙｌｏｒ，Ｊｒ．らに発行された、ＡＩＲ  ＴＲＥＡＴＭＥＮＴ  ＦＩＬＴＥＲ  ＡＮＤ  ＲＥＬＡＴＥＤ  ＭＥＴＨＯＤに対する米国特許第７，３１６，７３２号の教示に従って製造してもよく、その全体が本明細書に援用される。
【００２５】
例示する実施形態では、種々のフィルター１００、１０２、及び１０４はフィルターハウジング１１２に嵌めこまれる。フィルターハウジング１１２は概して、炭素フィルター受け部及び粒子フィルター受け部を含む。２つの受け部は、炭素フィルター及び粒子フィルターをそれぞれ受け入れるように構成される略長方形の空洞である。炭素フィルター受け部は、粒子フィルター受け部より高さ及び幅が幾分小さい。結果として、フィルターハウジング１１２は、段状とされ、炭素フィルター受け部を囲む肩部１１４を有する。炭素フィルター１０４はまず、フィルターハウジング１１２に嵌め込まれる。炭素フィルター１０４の外部寸法は、フィルターハウジング１１２のうち炭素フィルター１０４を受け入れることを意図する部分の寸法よりわずかに小さい。結果として、炭素フィルター１０４とフィルターハウジング１１２の間に比較的密着した嵌め込みがあり、これにより、空気が炭素フィルター１０４の回りではなくその中を通って移動しようとする。次に、粒子フィルター１０２がフィルターハウジング１１２に嵌め込まれる。上記の通り、フィルターハウジング１１２は、段状とされており、肩部１１４を含み、これに対して粒子フィルター１０２を取り付ける。粒子フィルター１０２は、粒子フィルター１０２とフィルターハウジング１１２の間に漏れ止め密封を提供するように肩部１１４に係合する端面密封部（図示せず）を含んでもよい。これが、ＡＴＳ１０を通る全ての空気が粒子フィルター１０２の周りではなくその中を通って流れるように仕向ける。次に、前置フィルター１００が、フィルターハウジング１１２中、粒子フィルター１０２の外側に嵌め込まれる。本実施形態では、前置フィルター１００は、枠部１１６とフィルター媒体の層（図示せず）とを含む。枠部１１６は、粒子フィルター１０２に直接スナップするように構成される。例えば、枠部１１６は、内向きに延びて粒子フィルター枠部に係合することのできる指部１１７を含んでもよい。記載した範囲を除けば、前置フィルター１００、粒子フィルター１０２、及び炭素フィルター１０４は、概して従来からあり、したがって詳細には記載しない。例示した実施形態は３段階のフィルター配置を含むが、異なる濾過／処理配置で本発明をＡＴＳに組み込んでもよい。
【００２６】
本実施形態では、ＡＴＳ１０は、空気がシステムに入ることを可能とする未処理空気入口１０６ａ〜ｃを前部に含み、処理済み空気を環境に戻す空気出口１０８を後部に含む。ＡＴＳ１０は、ハウジングの後部下寄り部分中、前置フィルター１００、粒子フィルター１０２、及び炭素フィルター１０４の背後に収納されるブロワー５６を含む。作動において、ブロワー５６は、入口１０６ａ〜ｃを通してＡＴＳ１０の中に未処理空気を環境から引き込み、空気を３つのフィルター１００、１０２、及び１０４に連続的に通してその空気を処理し、次いで処理済み空気を出口１０８を通して排出してそれを環境に戻すように、作動する。入口、出口、及び内部流路のサイズ、形状、及び構成は、とりわけ、小さい設置面積のＡＴＳを提供しながらも静かで効率的な作動を提供するように設計されている。入口、出口、及び内部流路のサイズ、形状、及び構成は、所望に応じて用途により種々あり得る。
【００２７】
例示するＡＴＳ１０は例示的にすぎず、ＡＴＳのサイズ、形状、及び構成は用途により種々あり得る。
【００２８】
［Ｃ．制御システム］
上記の通り、本発明は制御システム１２を含み、これは、ＡＴＳ１０の作動を制御し、情報を表示するため及び操作者から入力を受け入れるためのユーザーインターフェイスを提供する。制御システム１２の主要な機能は、感知したパラメーター又は操作者の入力に基づいて空気を処理するようにＡＴＳ１０の作動する速度を制御し、フィルターの使用量を追跡監視し、操作者にモード、モーター速度設定、及びフィルター寿命を知らせ、操作者のコマンドを受け入れることである。概して、制御システム１２は、ブロワー５６の速度を調整することによって、空気が濾過される速度を変える。より具体的には、制御システム１２は、より詳細に以下に記載するように、自動又は手動の制御方式に基づいてブロワー５６の作動を制御する。制御サブシステム６０は、所望の通りにブロワーの各速度間をゆっくりと移行するように構成してもよい。例えば、例示する実施形態では、ブロワー速度制御は、ブロワー５６に供給される電源の負荷周期を変えることによって達成される。モーター速度間のゆっくりとした移行を提供するために、制御サブシステム６０は、負荷周期をゆっくり増加又は減少させて現在の速度から所望の速度へ移すことによって１つの速度から他の速度へ移行させてもよい。段階のタイミング、数、及びサイズは、所望の効果に応じ、用途により種々あり得る。
【００２９】
例示する実施形態では、ユーザーインターフェイスは「デッドフロント」ディスプレイ１６として実装され、これは、前部カバー３２の上部寄りに位置し、組み込まれたタッチセンサーを含む。使用において、ディスプレイ１６は、情報を表示し、システムの作動及びメンテナンスに関連した操作者入力を受け入れる。例えば、例示する実施形態の制御システム１２は、現在の環境のほこりレベルと、種々のフィルターの余寿命に関する情報とを表示する。それはまた、操作者がシステムを制御することを可能とする接触感知式ボタンを提供する。「デッドフロント」ディスプレイ１６は、点灯したときにのみ見える複数の表示要素１８を含む。制御システム１２は、情報を提供するため及び任意の所与の時に利用できる制御オプションを提示するために変化する動的ディスプレイを提供するように個々の表示要素１８を選択的に点灯させるよう、構成される。例示する実施形態では、ディスプレイ１６は、ＡＴＳの状態か又は環境の空気の質及びフィルター寿命などモニターする特性かに関する情報を提供するように点灯される情報型表示要素１８ａと、操作者が入力を制御システム１２に提供することを可能とするようにタッチセンサーを組み込む入力表示要素１８ｂとを含む。ユーザーの入力を可能とすることに加えて、入力表示要素１８ｂはまた、作動モードやブロワー速度など、ＡＴＳの状態に関する情報を提供してもよい。
【００３０】
例示する実施形態では、制御システム１２は、ＡＴＳ１０を作動させるために必要なＤＣ電源にＡＣ壁面電源を変換する電源供給部品を除いて、ＡＴＳ１０の電子部品の全てを含むという意味で内蔵型である電子部品モジュール１４を含む。本実施形態では、電源供給部品（図示せず）は、ＡＴＳハウジング１１０の基部４０の中に位置する。ここで図４の概略説明図を参照すると、電子部品モジュール１４は概して、制御サブシステム６０、ＬＥＤアレイ６２、容量性タッチセンサーアレイ６４、ほこりセンサーアセンブリー６６、ＲＦＩＤサブシステム６８、及び無線通信サブシステム７０を含む。制御サブシステム６０は、制御回路及びファームウェアを含み、これは、ＡＴＳ１０を作動させ、容量性タッチセンサーアレイ６４、ほこりセンサー６６、ＲＦＩＤサブシステム６８、及び無線通信サブシステム７０を含む他の種々のサブシステムからのデータの収集を調整するように構成される。以下に、システムの作動の種々のモードをより詳細に記載する。制御サブシステム６０はまた、前もってプログラムされた作動関連デフォルト値だけでなく、フィルター１００、１０２、及び１０４の寿命、使用時間、カウンター、及びＡＴＳ１０の作動に関連して使用され得る他の変数など、作動関連履歴データをも格納するための非揮発性メモリを含む。
【００３１】
例示する実施形態の電子部品モジュール１４を図５〜７に示す。示す通り、電子部品モジュール１４は、制御サブシステム６０とＲＦＩＤサブシステム６８と無線通信サブシステム７０との回路、並びにＬＥＤアレイ６２、容量性タッチセンサーアレイ６４、及びほこりセンサーアセンブリー６６を内蔵するハウジング１４８を含む。ハウジング１４８は概して、基部１５０及びカバー１５２を含む。上記の通り、ＬＥＤアレイ６２は、表示要素１８の点灯を提供するように構成される。より具体的には、１つ又は複数のＬＥＤ６２ａは、情報型表示要素１８ａ及び入力表示要素１８ｂを含んだ各表示要素１８の背後に位置する。ＬＥＤ６２ａは、情報型表示要素１８を示すか又は入力表示要素１８ｂを入力のために利用できるようにするかすることが適切であるときに制御サブシステム６０によって選択的に点灯させることができる。各ＬＥＤ６２ａは、種々の点灯オプションを提供する単一のＬＥＤ又は複数のＬＥＤを含んでもよい。例えば、各ＬＥＤ６２ａは、表示要素１８の輝度が変えられるように、異なる輝度の複数のＬＥＤを含んでもよい。他の例として、各ＬＥＤ６２は、異なる色の点灯を作り出すように別々に組み合せるかして点灯させることができる、異なる色のＬＥＤを含んでもよい。一実施形態では、各ＬＥＤ６２は、赤色ＬＥＤ、緑色ＬＥＤ、及び青色ＬＥＤを含み、これらは、基本的に任意所望の色の点灯を提供するように異なる組合せで、異なるレベルの輝度で点灯させることができる。他の一例では、各ＬＥＤ６２ａは、異なる輝度及び異なる色の複数のＬＥＤ含んでもよい。例示する実施形態は、ディスプレイ１６に点灯を提供するようにＬＥＤアレイ６２を含むが、ＬＥＤアレイ６２は、ＯＬＥＤ、レーザー、及びＥＬ光源など、他の種類の光源で置き換えるか又は補ってもよい。
【００３２】
例示する実施形態では、ディスプレイ１６は、点灯していない表示要素１８が見えない「デッドフロント」ディスプレイである。本実施形態では、ディスプレイ１６の位置する領域がＡＴＳハウジング１１０の単なる一連続部であるように見え、表示要素１６が点灯していないとき、ＡＴＳ１０には、ユーザーインターフェイスがないように見える。所望の図柄要素を生成させるために、各表示要素１６は、下にあるＬＥＤ６２によって発生される光をマスクし拡散する画面７４を含む。例示する実施形態では、ディスプレイ１６は、２つの画面７４ａ及び７４ｂを含み、それぞれが複数のＬＥＤを覆い、複数の表示要素１８のためにマスク及び拡散機能を提供する。画面７４ａは、異なるフィルター１００、１０２、及び１０４の寿命に関連する情報を提供する情報型表示要素１８ａを提供しそれに関連づけられる。画面７４ｂは、環境の空気の質に関する（例えば、ほこりセンサーの指示値に基づく）情報を提供する情報型表示要素１８ａと、電源、モード、及びブロワー速度入力に関連づけられた入力表示要素１８ｂと、に関連づけられる。例示する実施形態では、各画面７４は、積層構造であり、概して拡散層及びマスク層を含む。拡散層は、ＬＥＤが発生させる光を拡散させることのできる、基本的に任意の材料であってもよい。例えば、拡散層は、半透明膜又は他の半透明被覆で覆われた透明な基材を含んでもよい。あるいは、拡散層は、「粗い」又はざらざらした面を有する透明な材料であってもよい。他の一代替形態では、拡散層は半透明材料のシートであってもよい。マスク層は、インク、塗料、膜、及び他の接着剤層など、種々の不透明及び半透明材料を含め、所望の図柄を作り出すために光をマスクすることができる、基本的に任意の材料であってもよい。例えば、マスク層は、１つ又は複数の開口部を所望の図柄の形状に画定する不透明膜の層であってもよい。それはまた、異なる外観を提供する異なる材料の組合せを含んでもよい。例えば、マスク層は、光透過が望まれない不透明領域と、バックグラウンドの光透過が望まれる第１の半透明材料と、フォアグラウンドの光透過が望まれる第２の半透明材料とを含んでもよい。第１及び第２の半透明材料は、異なる色の半透明材料又は異なるレベルの透明性をもった半透明材料の使用によって異なるように見える領域を生じさせてもよい。マスク層は、印刷、熱的接着、接着剤、又は他の適切な手段によって拡散層に適用してもよい。例示する実施形態では、マスク層は、拡散層の、ＬＥＤ又は他の光源と反対側の外面に配置されるが、所望の場合には他のところに配置してもよい。拡散層及びマスク層は、例示する実施形態では単一積層構造の一部であるが、代わりにそれらは別々の構成要素であってもよい。例えば、それらは、別々に製造して、ディスプレイ１６の組み立ての際に互いに隣接するように配置してもよい。
【００３３】
例示する実施形態では、光ダクトアレイ７２は、光を入れて光源からそれに対応する表示要素に誘導するように、隣合せに接合した複数の個々のダクト７２ａを有する。各光ダクト７２ａは、光源を囲み、光を光源６２ａから画面７４ａ、７４ｂの適切な部分に伝達する反射性ダクトを提供する。例えば、図３に示すように、各光ダクト７２ａの一方の端部は、ＬＥＤ６２ａ上に密着するように構成してもよく、他方の端部は、画面７４ｂに係合させ、関連づけられる表示要素１８の外周に従うサイズ及び形状としてもよい。各光ダクト７２ａの内面は、反射性であるか、拡散するか、又は、所望の外観で対応する表示要素１８を提供するように選択される他の光学的特性を有してもよい。例示する実施形態では、電子部品モジュール１４は２つの光ダクトアレイ７２を含み、１つはフィルター寿命ディスプレイ用であり、もう１つは残りの表示要素用である。本実施形態では、各光ダクトアレイ７２は、単一の一体形ユニットとして製造され、それによって、電子部品モジュール１４の製造及び組み立てが容易になる。例えば、各光ダクトアレイ７２は射出成形してもよく、内面は、所望の外観に応じて、反射性又は拡散性の材料で被覆してもよい。
【００３４】
上記の通り、表示要素１８のいくつかは、操作者が入力を制御サブシステム６０に与えることを可能とするようにタッチセンサーとして機能する入力表示要素１８ｂである。入力表示要素１８ｂは、「デッドフロント」ディスプレイに組み込まれ得る基本的に任意のタッチセンサー技術を用いて実装してもよい。例示する実施形態では、入力表示要素１８ｂは、容量性タッチセンサーである。本実施形態では、ディスプレイ１６は、容量性皮膜６４の複数の別々の区分を含む容量性タッチセンサーアレイ６４を含む。膜の各区分は、単一のタッチセンサーに関連づけられる。例えば、膜の各区分は、そのタッチセンサーに関連づけられる表示要素１８ｂと同一の広がりを有してもよい。容量性皮膜６４は、例えば、拡散層７６及び／又はマスク層７８に積層させる分離層として、画面７４ａ、７４ｂに組み込んでもよい。あるいは、容量性皮膜６４は、画面７４ａ、７４ｂから分離させてもよい。例示する実施形態では、容量性皮膜６４の各区分は、電子モジュール１４に接続するためのタブ６５又は他の特徴を含み、下にある基材６７は共通の下地面を提供する。容量性タッチセンサーのモニタリング、制御、及び作動は、概して従来からあるものでもよく、したがって詳細に記載しない。制御サブシステム６０は、容量性皮膜の別々の区分から指示値を順次採り、その現在の指示値がタッチに典型的な所定の値に合致したとき、タッチが起こったと判定することによってタッチを認識してもよい、というにとどめる。
【００３５】
上記の通り、例示する実施形態の電子部品モジュール１４は、制御システム１２が空中汚染物質のレベルを測定することを可能とするほこりセンサーアセンブリー６６を含む。本実施形態では、ほこりセンサーアセンブリー６６は、ほこりセンサー８０、センサー入口８２、センサーダクト８４、センサー出口８６、及び一対のセンサーガスケット８８を含む。本実施形態では、ほこりセンサーアセンブリー６６は、ブロワー５６が作り出す部分真空を利用して、ほこりセンサー８０を通して環境の空気を引きこむ。センサー８０を通った後、空気は処理され、環境に戻る。示す通り、センサー出口８６は、ＡＴＳ１０を通る空気流路に連通し、フィルター１００、１０２、及び１０４の上流に位置する。センサー８０は、センサー出口８６に正しく位置合せされて電子部品モジュール１４に取り付けられる。センサー入口８２は、電子部品モジュール１４のカバー１５２に配置され、環境の空気がセンサーダクト８４に入るための通路を提供する。センサー入口８２は、毛、綿、及び塊となったほこりなど大きい粒子がほこりセンサー８０を詰まらせるのを防ぐように選択されたフィルター材料（図示せず）を含んでもよい。フィルター材料は、交換可能又は洗浄可能であってもよい。センサーダクト８４は、センサー８０とセンサー入口８２の間に配置され、センサー８０に流路を提供する。センサーガスケット８８はほこりセンサー８０とセンサー出口８６の間及びほこりセンサー８０とセンサーダクト８４の間に位置する。作動において、ブロワー５６は空気を、センサー入口８２、センサーダクト８４、ほこりセンサー８０、及びセンサー出口８６を順次通して環境から引きこむ。空気がほこりセンサー８０を通るに従い、空気中のほこりのレベルが、公知の技術及び装置を用いて測定される。
【００３６】
図示していないが、ＡＴＳ１０はまた、前部カバー３２の存在又は不存在を示す指示値を提供することのできるセンサーを含んでもよい。例えば、例示する実施形態では、ＡＴＳ１０は、ＡＴＳ１０の底部寄り、磁気式取付部の１つの近くに位置するホール効果センサーを含む。前部カバー３２を取り外すと、磁石の不存在により、ホール効果センサーがもたらす指示値が変化する。あるいは、電子部品モジュール１４上に取り付けたホール効果センサー、リードスイッチ、又は他の磁場センサーを用いて、前部カバー３２の存在又は不存在が判定できるように、別個のインターロック磁石（図示せず）を前部カバー３２の中、電子部品モジュール１４の近くの位置に組み込んでもよい。前部カバー３２の状態に関する情報を、制御サブシステム６０が用いて、システムの作動に影響させることができる。例えば、一実施形態では、制御サブシステム６０は、前部カバー３２が取り外されたときに、ブロワー５６を自動的に停止するか又は他のやり方で機能を変化させてもよい。他の一例として、前部カバー３２が取り外されたとき、制御サブシステム６０は、タッチが起こったか否かを判定する際に用いられるパラメーターを変化させてもよい。これにより、タッチセンサーは、前部カバー３２が正しい位置にある場合もない場合も等しく正しく作動することができる。さらなる一例として、制御サブシステム６０は、前部カバー３２が取り外されたときに、代替的作動モードに入ってもよい。これにより、制御サブシステム６０は、利用できる入力表示要素１８ｂを含め、表示要素１８を変化させることになり得る。
【００３７】
制御システム１２はまた、ＲＦＩＤサブシステム６８を含んでもよく、これは、ＡＴＳ１０中の交換可能フィルター（例えば粒子フィルター１０２及び／又は活性炭フィルター１０４）の対応するＲＦＩＤタグとともに働くように構成される。ＲＦＩＤサブシステム６８は、概して従来からあり、したがって詳細に記載しない。ＲＦＩＤサブシステム６８とともに制御サブシステム６０は、フィルター寿命、使用時間、取り付け以来の経過時間、合計影響消費（ｔｏｔａｌ  ａｆｆｅｃｔｉｖｅ  ｃｏｎｓｕｍｐｔｉｏｎ）（例えば、モーター速度に使用時間を乗じたもの）、及びＲＦＩＤタグ中の他のデータを集計し、蓄積し、他のように格納することができる、というにとどめる。フィルターが取り付けられたとき、ＲＦＩＤリーダー／ライターは、フィルター寿命、フィルターがいずれかのシステムに取り付けられていた合計時間量、及びフィルター寿命の合計影響消費など、既にＲＦＩＤタグに格納されたいかなるデータをも読み取ることができる。このようにして、システムは、フィルターが１つのＡＴＳから他のＡＴＳへ移動された場合でも、正しい追跡監視を提供することができる。フィルターに埋め込まれたＲＦＩＤタグはまた、フィルターが真正なものであることを確認にするために用いられ得る連番を含んでもよい。例えば、制御システム１２は、連番を対照比較する有効な連番表を格納してもよく、あるいは、それがネットワーク機能を有する場合は、インターネット上に格納された有効な番号表に対して連番を比較する能力を有してもよい。フィルター使用情報は、フィルター余寿命の表示を提供するよう及びフィルター交換が必要な場合にプロンプトを提供するように用いてもよい。ＲＦＩＤサブシステム６８はまた、いつフィルターが取り外されたかを判定するために、用いてもよい。この情報は、ＡＴＳ１０の使用に関する統計を管理又は維持する上で有用であり得る。例えば、制御サブシステム６０は、粒子フィルター１０２及び／又は炭素フィルター１０４が取り外されたときにブロワーを停止するように構成してもよい。他の一例では、制御サブシステム６０は、フィルターの１つ又は両方が取り外されたときにサービスモードに入ってもよい。サービスモードにあるとき、制御サブシステム６０は、情報技術情報を表示し、かつ／又は、そのモードに特定の制御オプションを提供する。ＡＴＳ１０中のＲＦＩＤリーダー／ライターと炭素フィルター１０４中のＲＦＩＤタグとの間に正しい位置合せを確実にするのを助けるために、位置合せをもたらす向きにのみ炭素フィルター１０４が取り付けられるように炭素フィルター１０４とフィルターハウジング１１２をキー止めしてもよい。例えば、粒子フィルター１０４の底部はキー溝（図示せず）を含んでもよく、フィルターハウジング１１２は、対応するキー（図示せず）を含んでもよい。ＲＦＩＤリーダー／ライターが左右方向の中心に位置するとき、いずれのフィルター面が内向きに面するかは問題ではないので、キーは中心に位置してもよい。ＲＦＩＤリーダー／ライターが中心に位置しない場合は、所望のフィルター面が内向きに面することを確実にするために非対称的なキー配置を提供することが有益であり得る。
【００３８】
上記の通り、制御システム１２は、制御サブシステムが、スマートフォン、タブレット、パーソナルコンピューター、ローカル無線ルーター、ブロードバンド無線ルーター、及び他の通信装置など、他の電子装置と無線通信することを可能とする無線通信サブシステム７０を含んでもよい。例示する実施形態では、無線通信サブシステム７０により、ＡＴＳ１０は、専用のアプリケーションを動かしているスマートフォン又はタブレット装置など遠隔装置と情報を交換してそれらからコマンドを受け入れることが可能となる。例えば、制御サブシステム６０に無線で伝達されてそれに実行されるＡＴＳコマンドを操作者が電子装置上で入力することができるようにするアプリケーションを提供してもよい。他の一例としては、ＡＴＳ１０によって収集された情報は、アプリケーション内で表示されるように電子装置に伝達することができる。例示する実施形態では、これは、各フィルターのフィルター寿命情報、モード作動情報、モーター速度情報、及びほこりセンサーを用いて導き出された環境の空気の質の情報を含んでもよい。無線通信サブシステム７０は、基本的に任意の無線通信技術及びプロトコルを利用してもよい。例えば、例示する実施形態では、無線通信サブシステム７０はブルートゥース（登録商標）及び／又はＷｉＦｉの機能を有してもよい。
【００３９】
制御システム１２は、幅広く種々の制御方式を実行するように構成してもよい。それぞれの場合に、制御システム１２は、動的ディスプレイ１６を提供するように構成してもよく、これにおいて、表示要素１８が点灯され、タッチセンサーが、作動モード及びモニターされるパラメーターの値など、変数を変化させることに基づいて動作可能となる。例示する実施形態では、制御システム１２は、４つの全般作動モードを有する制御方式を実行し、それは、少なくとも部分的にほこりセンサー指示値に基づいて制御が自動化される「スマート（ｓｍａｒｔ）」モード（又は自動モード）と、操作者がブロワー速度を制御する「手動（ｍａｎｕａｌ）」モードと、ブロワー５６が一時的に高速で作動される「ターボ（ｔｕｒｂｏ）」モードと、ディスプレイ１６が夜間点灯を制限するように異なった作動の仕方をする「夜間（ｎｉｇｈｔ）」モードとを含む。この制御方式に関連してディスプレイ１６は、種々の情報型表示要素１８ａ及び入力表示要素１８ｂを表示させることができる（図５及び９Ａ参照）。例示する実施形態では、各表示要素１８は、異なる色及び／又は異なる強度の２つのＬＥＤを含む。２つのＬＥＤの１つは、「現在（ｐｒｅｓｅｎｔ）」状態で表示要素を点灯させるために用いられる（例えば、より暗いＬＥＤ、又は落ち着いた色など第１の色）。この点灯状態は、表示要素１８をディスプレイ１６上で見えるようにし、同時に、それが選択されなかったか有効でないことを視覚的に示すものを提供するために用いられる。もう１つのＬＥＤは、「オン（ｏｎ）」状態で表示要素を点灯させるために用いられる（例えば、より明るいＬＥＤ、又はより鮮やか色など第２の色）。「オン」状態は、表示要素が「オン」又は「有効」であることを示すために用いられる。表示要素１８の数、種類、配置、構成、及び作動は、大部分は、制御システム１２が実行する制御方式に応じて、用途により種々あり得る。
【００４０】
例示する実施形態では、情報型表示要素１８ａは、前置フィルター寿命を表す情報型表示要素２００と、粒子フィルター寿命を表す一式の情報型表示要素２０２と、炭素フィルター寿命を表す一式の情報型表示要素２０４と、環境のほこりレベルを表す一式の情報型表示要素２０６とを含む（図９Ｂ参照）。入力表示要素１８ｂは概して、電源入力表示要素２０８、「スマート」モード入力表示要素２１０、「ターボ」モード入力表示要素２１２、「夜間」モード入力表示要素２１４、及び複数のブロワー速度入力表示要素２１６を含む（図９Ｂ参照）。
【００４１】
例示する実施形態では、異なるフィルター寿命ディスプレイ２００、２０２、及び２０４は、前部カバー３２とＡＴＳハウジング１１０のアイコン表示の間に位置する（図９Ｂ参照）。これらのアイコンは、どのフィルター寿命ディスプレイがどのフィルターに関連づけられているかを識別するに当って役に立ち得る。例示する実施形態では、前部カバー及びＡＴＳハウジングのアイコンは、５０％の輝度で作動される白色ＬＥＤによって静的に点灯される。
【００４２】
例示する実施形態では、前置フィルターのためのフィルター寿命ディスプレイ２００は、前置フィルターがメンテナンスを必要としない「現在」状態と、前置フィルターがメンテナンス（洗浄又は交換など）を必要とする「オン」状態とで点灯され得る情報型表示要素２００を含む。「現在」状態は、緑色ＬＥＤを静的に点灯させることによって作り出してもよい。「オン」状態は、赤色ＬＥＤを点滅させることによって提供してもよい。
【００４３】
例示する実施形態では、粒子フィルター１０２用のフィルター寿命ディスプレイ２０２は、４つの情報型表示要素１８ａを含み、それぞれフィルター寿命の四分の一を表す。フィルター寿命ディスプレイがオンのとき、４つの表示要素１８ａ全てが点灯される。「オン」状態で点灯される要素１８ａの数が、フィルター余寿命を表す。残りの要素１８ａは、「現在」状態で点灯され、フィルター寿命が四分の一単位で表されることを視覚的に知らせるものを提供する。区分の数は、所望に応じ、用途により種々あり得る。例えば、さらなる細かさを、フィルター寿命ディスプレイ２０２に関連づけられた情報型表示要素１８ａの数を増加させることによって提供してもよい。例示する実施形態では、粒子フィルターのためのフィルター寿命ディスプレイ２０２は、カラーＬＥＤを組み込んで、次のようにフィルター寿命を表すのを補助する。
７５〜１００％寿命  −  ４つの区分全てが１００％輝度で緑色に点灯
５０〜７５％寿命    −  下の３つの区分が１００％輝度で緑色に、
一番上の区分が５０％輝度で白色に点灯
２５〜５０％寿命    −  一番下の区分が１００％輝度で琥珀色に、
上の３つの区分が５０％輝度で白色に点灯
１〜１０％寿命      −  一番下の区分が１００％輝度で赤色に、
上の３つの区分が５０％輝度で白色に点灯
０％寿命            −  一番下の区分が１００％輝度で赤色に、
上の３つの区分が５０％輝度で白色に点滅
例示する実施形態では、炭素フィルター１０４のためのフィルター寿命ディスプレイ２０４は、粒子フィルター１０２のためのフィルター寿命ディスプレイ２０２と基本的に同じであり、上述と同じ方法を用いて「現在」又は「オン」状態で点灯され得る４つの表示要素１８ａを含む。
【００４４】
例示する実施形態では、ほこりレベルディスプレイ２０６は、「現在」又は「オン」状態で点灯され得る複数の個々の情報型表示要素１８ａを含む。ほこりレベルディスプレイ２０６が表示されているとき、「オン」状態で点灯されている情報型表示要素１８ａの数は測定されたほこりレベルを表し、他の情報型表示要素１８ａは「現在」状態で点灯される。これにより、操作者は、区分の合計数に対する「オン」区分の比を比較することによってほこりレベルをよりよく理解することができる。例示する実施形態では、ほこりレベルの区分は、３つで一式の何式かにグループ化され、３区分一式それぞれにＬＥＤ一式がひとつ関連づけられる。結果として、例示する実施形態のほこりレベルディスプレイ２０６は、１５区分、但し、６つの異なる設定（即ち、０区分、３区分、６区分、９区分、１２区分、又は１５区分）のみを有する。例示する実施形態では、ほこりレベルディスプレイ２０６は、カラーＬＥＤを組み込んで、次のように認識するのを補助する。
レベル１  −  第１の区分が１００％輝度で緑色に、残りの区分が５０％輝度で白色に                点灯。
レベル２  −  第１の２つの区分が１００％輝度で琥珀色に、残りの区分が５０％輝度                で白色に点灯、
レベル３  −  第１の３つの区分が１００％輝度で琥珀色に、残りの区分が５０％輝度                で白色に点灯、
レベル４  −  第１の４つの区分が１００％輝度で赤色に、残りの区分が５０％輝度で                白色に点灯、
レベル５  −  ５つの区分全てが１００％輝度で赤色に点灯。
【００４５】
本実施形態では、ブロワー速度表示要素１８ｂは、ブロワー速度が操作者に手動で設定できるように、現在のブロワー速度を表示することと、タッチセンサー入力を受け入れることとの二重機能を実施する。ほこりレベルディスプレイと同様に、ブロワー速度ディスプレイは、「現在」状態又は「オン」状態を表すように選択的に点灯され得る２つのＬＥＤを有する複数の別々の表示要素１８を含む。ほこりレベルディスプレイと異なり、ブロワー速度ディスプレイはまた、ブロワー速度を手動で選択するように操作者に用いられ得るタッチセンサーアレイである。ブロワー速度が表示される場合、「オン」状態で点灯されるブロワー速度入力表示要素の数はブロワー速度を表すように選択され、他のブロワー速度入力表示要素は「現在」状態で点灯され、それによって、操作者は、利用できるブロワー速度オプションを見て、「現在」区分に対する「オン」区分の比を比較し、現在のブロワー速度を理解することができる。例示する実施形態では、「現在」状態は、５０％輝度で白色ＬＥＤを静的に点灯させることによって作り出してもよい。「オン」状態は、１００％輝度で青色ＬＥＤを静的に点灯させることによって提供してもよい。タッチセンサーを提供するために、各ブロワー速度表示要素１８ｂは、関連する容量性皮膜の区分を含む。上記の通り、制御サブシステム６０は、容量性皮膜の区分をモニターして、タッチがいつ起こったかを判定する。タッチが起こると、制御サブシステム６０は、選択された設定に合致するようにブロワー速度を調整し得る。
【００４６】
例示する実施形態では、電源入力表示要素２０８は、「現在」状態にあるときに１００％輝度で赤色に点灯され、「オン」状態にあるときに１００％輝度で白色に点灯される。「スマート」モード入力表示要素２１０は、「現在」状態にあるときに５０％輝度で白色に点灯され、「オン」状態にあるときに１００％輝度で青色に点灯される。「ターボ」モード入力表示要素２１２は、「現在」状態にあるときに５０％輝度で白色に点灯され、「オン」状態にあるときに１００％輝度で青色に点灯される。「夜間」モード入力表示要素２１４は、「現在」状態にあるときに５０％輝度で白色に点灯され、「オン」状態にあるときに５０％輝度で赤色に点灯される。
【００４７】
上記の通り、例示する実施形態の制御システム１２は、次の４つの異なる作動モードで制御方式を実行する：
スマートモード（又は自動モード）、「手動」モード、「ターボ」モード、及び「夜間」モード。制御方式を図１３を参照して記載する。「スマート」作動モード中、制御サブシステム６０は、ほこりセンサー指示値を評価し、その指示値に基づいてブロワー速度を判定する。これにより、ＡＴＳ１０は、環境中の空中ほこりの変動するレベルに適合することができる。このモードで操作者は、ターボモード、夜間モード、手動モード、又はＡＴＳ電源停止に入るオプションを有する。そういうものとして、ターボモード入力表示要素、夜間モード入力表示要素、異なるブロワー速度入力表示要素、及び電源入力表示要素は点灯される。ターボモード入力表示要素及び夜間モード入力表示要素は、「現在」状態で点灯される。スマートモード入力表示要素及び電源入力表示要素は、「オン」状態で点灯される。システムが既にスマートモードで作動しているときにスマートモード入力表示要素をタッチすると、システムは手動作動モードに移行する。ブロワー速度入力表示要素は、上記の点灯方法に従って現在のブロワー速度と利用できる手動調整オプションとを示すように点灯される。加えて、スマートモードでは、ほこりレベル情報型表示要素は、上記の点灯方法に従ってリアルタイムのほこりレベルを示すように点灯される。スマートモードでは、フィルター寿命ディスプレイは、ユーザーがＡＴＳ１０と相互作用するたびに、特定の時間の間点灯される。例えば、制御サブシステム６０は、操作者がディスプレイ１６中のタッチセンサーと相互作用するたびに１５秒の間フィルター寿命ディスプレイを点灯させ得る。加えて、フィルター寿命ディスプレイは、フィルターに注意が必要である（例えば、フィルターのいずれか１つを洗浄又は交換する必要がある）ときにはいつでも、そうである間点灯され得る。
【００４８】
制御サブシステムは、操作者がブロワー速度入力表示要素１８ｂにタッチしたときに、手動モード（又はダイレクトモード）に入る。一旦手動モードに入ると、制御サブシステム６０は、操作者が選択する速度でブロワー５６を作動させる。このモードで操作者は、ターボモード、夜間モード、スマートモード、ブロワー速度調整、又はＡＴＳ電源停止に入るオプションを有する。そういうものとして、ターボモード入力表示要素、夜間モード入力表示要素、スマートモード入力表示要素、異なるブロワー速度入力表示要素、及び電源入力表示要素は点灯される。スマートモード入力表示要素、ターボモード入力表示要素、及び夜間モード入力表示要素は、「現在」状態で点灯される。電源入力表示要素は、「オン」状態で点灯される。ブロワー速度入力表示要素は、上記の点灯方法に従って現在のブロワー速度と利用できる手動調整オプションとを示すように点灯される。加えて、ほこりレベル情報型表示要素は、上記の点灯方法に従ってリアルタイムのほこりレベルを示すように点灯される。このモードでは、フィルター寿命ディスプレイは、ユーザーがＡＴＳ１０と相互作用するたびに、特定の時間の間点灯される。例えば、制御サブシステム６０は、操作者がディスプレイ１６のタッチセンサーと相互作用するたびに１５秒の間フィルター寿命ディスプレイを点灯させ得る。加えて、フィルター寿命ディスプレイは、フィルターに注意が必要である（例えば、フィルターのいずれか１つを洗浄又は交換する必要がある）ときにはいつでも、そうである間点灯され得る。
【００４９】
操作者がターボモード入力表示要素にタッチすると、ターボモードに入る。一旦ターボモードに入ると、制御サブシステム６０は、予め設定した時間（例えば３０分）、最高速度設定（又は他のいくつかの所定の速度設定）でブロワー５６を作動させ、次いで、前の作動モードに自動的に戻る。ターボモードはボタンのタッチによって中断してもよく、その場合、システムを、予め設定した時間が終わる前にターボモードから移行させてもよい。このモードでは、操作者は、スマートモード入力表示要素にタッチしてスマートモードに入るか、ブロワー速度入力表示要素にタッチしてブロワー速度を調整し手動モードに入るか、又は電源入力表示要素にタッチしてＡＴＳの電源を停止するかのオプションを有する。さらに、操作者は、ターボモード入力表示要素にタッチしてシステムを直ちに前の設定に戻らせるオプションを有する。そういうものとして、ターボモード入力表示要素、スマートモード入力表示要素、異なるブロワー速度入力表示要素、及び電源入力表示要素は点灯される。ターボモード入力表示要素及び電源入力表示要素は「オン」状態で点灯され、一方、スマートモード入力表示要素は「現在」状態で点灯される。ブロワー速度入力表示要素は、上記の点灯方法に従って現在のブロワー速度と利用できる手動調整オプションとを示すように点灯される。加えて、ほこりレベル情報型表示要素は、上記の点灯方法に従ってリアルタイムのほこりレベルを示すように点灯される。このモードでは、フィルター寿命ディスプレイは、ユーザーがＡＴＳ１０と相互作用するたびに、特定の時間の間点灯される。例えば、制御サブシステム６０は、操作者がディスプレイ１６のタッチセンサーと相互作用するたびに１５秒の間フィルター寿命ディスプレイを点灯させ得る。加えて、フィルター寿命ディスプレイは、フィルターに注意が必要であるときにはいつでも、そうである間点灯され得る。
【００５０】
操作者が夜間モード入力表示要素にタッチすると、夜間モードに入る。一旦夜間モードに入ると、制御サブシステム６０は、同じモードでＡＴＳ１０を作動させ続けるが、ディスプレイの内容は発光を最小化するように低減される。このモードでは、操作者は、夜間モード入力表示要素にタッチすることによって夜間モードを動作不可とする（即ち、現在の作動モードに従ってディスプレイを再度動作可能とする）か、電源入力表示要素にタッチすることによってＡＴＳの電源を停止するかのオプションを有する。夜間モードでは、夜間モード入力表示要素及び電源入力表示要素のみが点灯され、それらは両方とも「オン」状態で点灯される。代替的な一実施形態では、制御サブシステム６０は、操作者がディスプレイ１６のすぐ近接に入ったときにディスプレイ１６（の全体又は一部）を再度動作可能とするように構成してもよい。例えば、制御サブシステム６０は、容量性タッチセンサーアレイ６４を用いて操作者の近接を感知し、それをトリガーとして用いて入力表示要素１８ｂの全てを点灯させ、操作者が全制御要素の一式を有するようにしてもよい。ディスプレイ１６が再度動作可能とされた後、操作者が特定の時間（例えば１５秒）以内にコマンドを入力しない場合、制御サブシステム６０はディスプレイ１６を夜間モードへ戻らせ得る。
【００５１】
ＡＴＳ１０を電源に接続してはいるが電源を入れていない場合、制御サブシステム６０は、「現在」状態で電源入力表示要素を点灯させる。これにより、操作者は電源制御要素を見ることができる。一旦電源ボタンにタッチすると、制御サブシステム６０は、スマートモード又は手動モードでシステムを起動することができる。スマートモードで起動した場合、制御サブシステム６０は、ほこりセンサー指示値を採り、ほこりセンサー指示値に基づいて適切なブロワー速度を測定し、次いで、測定された速度でブロワーを働かせる。これらのステップの全てが操作者の入力の必要なく自動的に行われる。手動モードで起動した場合、制御サブシステム６０は、操作者の入力、例えば、ブロワー速度入力表示要素１８ｂの１つへの操作者のタッチによってブロワー５６を起動させるように指示されなければ、そうしない。
【００５２】
上記の制御方式は単に例示的に過ぎない。制御システム１２は、種々の代替的な制御方式を実行してもよい。例えば、代替的な一制御方式を図１４に示す。この代替的な制御方式は、上記の制御方式と基本的に同じであるが、但しここに記載の通りである。この制御方式を実行するために、ディスプレイは、「手動」モードに関連づけられる追加的なモード制御ボタンを含んでもよい（図１４で「ユーザー」と表示）。この制御方式では、操作者は、モード制御ボタンを用いて異なる作動モード間の移行を行う必要がある。例えば、操作者は、「ユーザー」モード入力表示要素にタッチして、手動作動モードに入る必要がある（単にブロワー速度入力表示要素にタッチするのではなく）。一旦手動モードに入ると、操作者は、所望のブロワー速度入力表示要素にタッチすることによってブロワー速度を制御することができる。この制御方式の他の一例として、操作者は、ターボモード入力表示要素にタッチするか又は予め設定した時間を経過させるかすることによってのみターボモードから出ることができる。同様に、操作者は、夜間モード入力表示要素にタッチすることによってのみ夜間モードから出ることができる。
【００５３】
他の代替的な一制御方式を図１５に示す。本実施形態では、制御方式は、上記の第１の制御方式と基本的に同じであるが、但しここに記載の通りである。この制御方式を実行するために、ディスプレイは、「オプション」モードに関連づけられた追加的なモード制御ボタンを含む（図１５で「オプション」と表示）。システムに電源を入れると、それは「スマート」モードで起動し、ブロワー速度がほこりセンサーからの入力に基づいて自動的に設定される。追加的な制御オプションを提供するためには、「オプション」モードボタンにタッチしなければならない。「スマート」モードでは、電源入力表示要素は「オン」状態で点灯され、スマートモード入力表示要素は「オン」状態で点灯され、オプションモード入力表示要素は「現在」状態で点灯され、ほこりレベルディスプレイは点灯される。ターボモード入力表示要素、夜間モード入力表示要素、及びブロワー速度ディスプレイはオフである。スマートモードで操作者は、電源入力表示要素にタッチしてシステムの電源を停止するか、又はオプションモード入力表示要素にタッチしてオプションモードに移行することができる。
【００５４】
一旦「オプション」モードに入ると、電源入力表示要素は「オン」状態で点灯され、スマートモード入力表示要素は「オン」状態で点灯され、オプションモード入力表示要素は「オン」状態で点灯され、ほこりレベルディスプレイは点灯され、ブロワー速度ディスプレイは点灯される。加えて、ターボモード入力表示要素及び夜間モード入力表示要素は、「現在」状態で点灯される。オプションモードで、操作者は、電源入力表示要素にタッチしてシステムの電源を停止するか、スマートモード入力表示要素にタッチしてスマートモードに戻るか、オプションモード入力表示要素にタッチしてスマートモードに戻るか、ターボモード入力表示要素にタッチしてターボモードに入るか、夜間モード入力表示要素にタッチして夜間モードに入るか、又はブロワー速度入力表示要素にタッチしてブロワー速度を選択し、手動モードに入るかすることができる。所定の時間（例えば６０秒）以内にどのボタンにもタッチしない場合、システムは自動的にスマートモードに戻り得る。
【００５５】
一旦「手動」モードに入ると、電源入力表示要素は「オン」状態で点灯され、オプションモード入力表示要素は「現在」状態で点灯され、ほこりレベルディスプレイは点灯され、ブロワー速度ディスプレイは点灯される。加えて、スマートモード入力表示要素、ターボモード入力表示要素、及び夜間モード入力表示要素はオフである。手動モードで操作者は、電源入力表示要素にタッチしてシステムの電源を停止するか、はオプションモード入力表示要素にタッチして「手動オプション」モードに入るか、又はブロワー速度入力表示要素にタッチしてブロワー速度を選択することができる。システムが手動モードにとどまっている間、それは、操作者が選択する速度でブロワーを作動させ続ける。
【００５６】
一旦「手動オプション」モードに入ると、電源入力表示要素及びオプションモード入力表示要素は「オン」状態で点灯され、ほこりレベルディスプレイ及びブロワー速度ディスプレイは点灯される。加えて、スマートモード入力表示要素、ターボモード入力表示要素、及び夜間モード入力表示要素は、「現在」状態で点灯される。手動オプションモードで、操作者は、電源入力表示要素にタッチしてシステムの電源を停止するか、スマートモード入力表示要素にタッチしてスマートモードに戻るか、オプションモード入力表示要素にタッチして手動モードに戻るか、ターボモード入力表示要素にタッチしてターボモードに入るか、夜間モード入力表示要素にタッチして夜間モードに入るか、又はブロワー速度入力表示要素にタッチしてブロワー速度を選択し、手動モードに戻るかすることができる。所定の時間（例えば６０秒）以内にどのボタンにもタッチしない場合、システムは自動的にスマートモードに戻り得る。所定の時間（例えば６０秒）以内にどのボタンにもタッチしない場合、システムは自動的に手動モードに戻り得る。
【００５７】
一旦ターボモードに入ると、制御サブシステムは、予め設定した時間（例えば３０分）、最高速度設定（又は他のいくつかの所定の速度設定）でブロワーを作動させ、次いで、前の作動モードに自動的に戻る。ターボモードはまた、ボタンのタッチによって中断してもよく、その場合、システムは、予め設定した時間が終わる前にターボモードから移行させてもよい。ターボモード入力表示要素及び電源入力表示要素は、「オン」状態で点灯される。ブロワー速度ディスプレイ及びほこりレベルディスプレイも点灯される。加えて、スマートモード入力表示要素、オプションモード入力表示要素、及び夜間モード入力表示要素はオフである。このモードでは、操作者は、ターボモード入力表示要素にタッチしてその前の作動モードに戻るか、又は電源入力表示要素にタッチしてＡＴＳの電源を停止するかのオプションを有する。
【００５８】
一旦「夜間」モードに入ると、制御サブシステムは、同じ作動モードでＡＴＳを作動させ続けるが、ディスプレイの内容は発光を最小化するように低減される。夜間モードで、夜間モード入力表示要素は「現在」状態で点灯され、電源入力表示要素は「オン」状態で点灯される。残りの表示要素はオフである。このモードでは、操作者は、夜間モード入力表示要素にタッチすることによって夜間モードを動作不可とする（即ち、現在の作動モードに従ってディスプレイを再度動作可能とする）か、電源入力表示要素にタッチすることによってＡＴＳの電源を停止するかのオプションを有する。
【００５９】
［Ｄ．前部カバー］
【００６０】
上記の通り、ＡＴＳ１０は、フィルター１００、１０２、及び１０４を覆うＡＴＳ１０の前部を閉じる着脱可能な前部カバー３２、並びに電子部品モジュール１４、及びブロワー５６を含む。例示する実施形態の前部カバー３２は、中心入口１０６ａを画定し、ＡＴＳハウジング１１０からずらされており、そうして、それらは一緒になって側部入口１０６ｂ〜ｃを画定する。中心入口１０６ａに入口側縁部９８を嵌めこんでもよい。例示する実施形態では、前部カバー３２は、前部カバー３２の後部面と取り付けられるフィルターとの間に比較的大きいヘッドスペースを作り出す凸状体である。これにより空気が、中心入口１０６ａを通ってＡＴＳ１０の中に、より自由に入ることができる。
【００６１】
本実施形態では、前部カバー３２はまた、「デッドフロント」ディスプレイ１６のインターフェイス面を形成する。そういうものとして、本実施形態の前部カバー３２は、ＬＥＤアレイ６２、光ダクトアレイ７２、及び画面７４ａ及び７４ｂの上にある電子部品モジュール１４の領域では少なくとも、半透明である（例えば、可視光に対して完全には透明でないか又は完全には不透明でない）。前部カバー３２は、所望の半透明性を提供する塗料被覆又は膜被覆を有する半透明ポリマー（例えば成形熱可塑性樹脂）から製造してもよい。一実施形態では、前部カバー３２、インモールド膜法によって覆われる。「デッドフロント」ディスプレイの外観をより適正にするために、前部カバー３２に適用する塗料被覆又は膜被覆を慎重に制御する必要があり得る。あるいは、前部カバー３２は、成形半透明熱可塑樹脂など、半透明な材料から製造してもよい。
【００６２】
例示する実施形態では、前部カバー３２は、片手での取り外し及び取り付けを可能とするように構成される。前部カバー３２は、上部には機械的取付部を、底部には一対の磁気式取付部を含む。例示する実施形態では、機械的取付部は、電子部品モジュール１４に整合する。これが、前部カバー３２とディスプレイ１６の下部の構成部品との間に正しい位置合せを確実にするのを助け、これは、「デッドフロント」ディスプレイの正しい外観と作動を確実にするのを助けることができる。機械的取付部は、例示する実施形態では電子部品モジュール１４からそれて整合するが、それは、代替的実施形態では他の構造からそれて整合してもよい。
【００６３】
ここで図１９Ａ及び１９Ｂを参照すると、例示する実施形態の機械的取付部は、前部カバー３２から延びる縁部３６を含み、電子部品モジュール１４に留まるように構成される。例示する実施形態では、縁部３６は、電子部品モジュール１４の幅およそ全体に延び、但しそれはほこりセンサー入口８２に位置合せされた間隙３７（図２参照）を含んでもよい。本実施形態の縁部３６は、前部カバー３２が正しい位置へと下げられるに従って縁部３６が電子部品モジュール１４に留まることを可能とする角度で向きを合せられる。それにより、前部カバー３２は、それをＡＴＳハウジング１１０に対して上向きにスライドさせることによってＡＴＳハウジング１１０から外すことができる。この上向きのスライドの動きは、縁部３６を電子部品モジュール１４から外すだけでなく、同時に、ＡＴＳハウジング１１０中の取り付けプレート９２から磁石９０を外すことができ（後述の通り）、それによって取り外しを容易とする。縁部３６のサイズ、形状、及び構成は、用途により種々あり得る。代替的実施形態では、縁部は、電子部品モジュール１４と係合することのできる他の基本的に任意の凸形又は凹形構造によって置き換えてもよい。
【００６４】
本実施形態では、前部カバー３２は、前部カバー３２の底部の両側部寄りに２つの磁気式取付部を含む。各磁気式取付部は、前部カバー３２に装着された磁石９０と、ＡＴＳハウジング１１０に取り付けられた磁気的に引力のあるプレート９２とを含む（図２０Ａ及び２０Ｂ参照）。磁石９０は、前部カバー３２の後部から突出する対応する埋め込み部９４に取り付けられるディスク状希土類の磁石であってもよい。プレート９２は、縁部３６が電子部品モジュール１４から離れるのに充分な距離を前部カバー３２が上向きにスライドされたときに、プレート９２から磁石９０が実質的に外されるようなサイズと形状であってもよい。磁石及びプレートの数、サイズ、形状、及び構成は、所望に応じて用途により種々あり得る。例えば、より強い磁石又はより多くの磁気式取付部を用いて、前部カバー３２を取り外すのに必要な力を増加させてもよい。
【００６５】
使用において、前部カバー３２は、種々の方法で取り外し及び取り付けを行ってもよい。前部カバー３２を取り外す１つのオプションを図１７Ａに示す。このオプションでは、前部カバー３２は、電子モジュール１４から縁部３６が離れるのに充分な距離、ＡＴＳハウジング１１０に対して上向きにスライドされ、次いで、前部カバー３２の上部は、磁気式取付部でいかなる残存する磁気引力をも克服するように、ＡＴＳハウジング１１０から傾けられ離される。前部カバーは、基本的に逆の方法を用いて取り付けてもよい。フィルターを取り外す他の１つのオプションを図１７Ｂに示す。このオプションでは、操作者は、手を下に伸ばして、プレート９２から磁石９０が外れるまでＡＴＳハウジング１１０から前部カバー３２の底部を引き離す。次いで操作者は、電子部品モジュール１４から縁部３６が離れるのに充分な距離、前部カバー３２を持ち上げる。前部カバー３２は、電子部品モジュール１４上に前部カバー３２の上部をかぶせ、次いで、磁石９０がプレート９２に係合するまで、前部カバー３２の底部をＡＴＳハウジング１１０のほうに揺り動かすことによって、取り付けてもよい。
【００６６】
前部カバー３２は、いつ前部カバー３２が取り付けられ、いつそれが取り外されたかを制御サブシステム６０が認識することを可能とするインターロック磁石（図示せず）を含んでもよい。インターロック磁石は、それが、電子部品モジュール１４に組み込まれたホール効果式又は他の磁場センサーによって感知され得る、前部カバー３２の上部寄りに位置してもよい。別個のインターロック磁石を用いることに対する一代替形態として、ＡＴＳ１０は、前部カバー３２をＡＴＳハウジング１１０に取り付けるために用いられる磁石９０の１つに基づいて前部カバー３２の存在又は不存在を認識することを可能とするように配置されたホール効果センサー（又は他の磁場センサー）を含んでもよい。
【００６７】
所望である場合、電子モジュール１４は、中心入口開口部１０６ａを通してかつ／又は前部カバー３２の側部から見える点灯を提供するように働き得るＬＥＤ又は他の光源を含んでもよい。この点灯は、アクセント照明として提供されてもよく、あるいは機能的目的を有してもよい。例えば、制御システム１２は、ＡＴＳ１０が正しく作動していてメンテナンスを必要としないときには青色の点灯を提供するか又は点灯しなくてもよく、操作者の介入が必要とされるときには赤色の点灯を提供してもよい。これは、フィルターを変えるか洗浄することが必要であるとき又はシステムエラーがあったときに起こり得る。赤色の点灯は、特定の緊急の問題が存在するときに点滅してもよい。
【００６８】
上記の通り、前部カバー３２は、適切なレベルの半透明性を組み込んで「デッドフロント」ディスプレイ１６を生成させる。一代替形態として、「デッドフロント」ディスプレイは、電子部品モジュール１４上に配置された別個のパネルなど、前部カバー３２の下に配置される半透明な構成要素によって生成させてもよい。かかる実施形態では、前部カバー３２は、下にある「デッドフロント」ディスプレイが前部カバー３２を通して見られることを可能とするように透明であるか又は充分に半透明であってもよい。
【００６９】
［Ｅ．可動性特徴］
例示する実施形態では、ＡＴＳ１０は、複数の交換可能な基部４０の１つとインターフェイスするように構成してもよい。例示する実施形態では、基部４０、４０’、及び４０”は、ネジ又は他の留め具を用いてＡＴＳハウジング１１０に固定される。留め具の数及び位置は、用途により種々あり得る。留め具への代替又は追加として、ＡＴＳハウジング１１０及び基部４０、４０’、及び４０”には、所望の基部がＡＴＳ１０にスナップ嵌めされることを可能とするスナップの特徴を設けてもよい。
【００７０】
異なる各基部４０は、電源コード４２を受け入れるための異なる構造及び／又はＡＴＳ１０を支持するための異なる構造を提供してもよい。３つの代替的基部４０、４０’、及び４０”をもったＡＴＳ１０を図２１及び２２に示す。概して、基部４０は、手動で電源コード４２を巻くためのボビン４４と複数の固定足部４６とを有し；基部４０’は、手動で電源コード４２’を巻くためのボビン４４’と複数のキャスター４６’とを有し；基部４０”は、自動巻取りリール（図示せず）付きコード格納アセンブリー４５を含み、固定足部４６”とローラー４７”の組合せを含む。例示は、ＡＴＳハウジング１１０の一部を横切るように延びるボビンの一実施形態を示すが、用語「ボビン」は、電源コード４２を回りに巻くことのできる構造として提供される任意の個々の特徴又は特徴の組合せを含むことを意図する。
【００７１】
例示する実施形態では、ＡＴＳ１０はまた、ＡＴＳハウジング１１０の上部後部に配置されるハンドル４８を含む。本実施形態のハンドル４８は、基本的にＡＴＳ１０の全幅に延びていてＡＴＳ１０が片手で中心を掴まれるか又は両手で両側部寄りを掴まれるかすることを可能とする。本実施形態では、ハンドル４８は、およそ２つの指関節まで操作者の指を受け入れるのに充分な深さの比較的深い中心ポケットと、およそ第１の指関節まで操作者の指を受け入れるのに充分な深さの比較的浅い側部ポケットとを含んでもよい。ハンドル４８は、例えば留め具によってＡＴＳハウジング１１０に固定される一体形構成要素であってもよく、あるいはそれはＡＴＳハウジング１１０の他の部分と一体的に形成されてもよい。
【００７２】
基部４０に関して、ハンドル４８は、ＡＴＳ１０を場所から場所へ移動させるときにそれを持ち上げるために、用いることができる。基部４０’に関しては、ハンドルは、ＡＴＳをキャスター４６’で場所から場所へ転がすときにＡＴＳを掴むために、用いることができる。基部４０”に関しては、ハンドル４８”は、ＡＴＳ１０をローラー４７”上で前傾させてＡＴＳ１０を場所から場所へ転がすために、用いることができる。
【００７３】
［Ｆ．フィルター保持器アセンブリー］
上記の通り、ＡＴＳ１０は、フィルターハウジング１１２に着脱可能に嵌め込まれる前置フィルター１００、粒子フィルター１０２、及び炭素フィルター１０４を含む。システムは、フィルターの迅速及び確実な取り付け及び取り外しを容易とするフィルター保持器アセンブリー５０を含む。例示する実施形態では、フィルター保持器アセンブリー５０は、粒子フィルター１０２の枠部に組み込まれた留め部５２及び一対のクリップ５４、並びにＡＴＳハウジング１１０に組み込まれたロック用突出部１２６を含む。前置フィルターは粒子フィルター１０２に固定され、粒子フィルター１０２は炭素フィルター１０４を覆うので、フィルター保持器アセンブリー５０は、３つのフィルター１００、１０２、及び１０４の全てを効果的に固定する。例示する実施形態では、クリップ５４は、それが閉じられるに従い粒子フィルター１０２をフィルターハウジング１１２に堅く引きこむように構成される。これにより、粒子フィルター１０２の端面シール１１８を肩部１１４に押し付けて気密の密封を容易とする。
【００７４】
ここで図２９Ｂを参照すると、留め部５２は、粒子フィルター１０２の枠部の底部中心に配置される。この実施形態の留め部５２は、粒子フィルター１０２の枠部に一体的に成形されるが、それは代わりに、別に形成して枠部に付けてもよい。例示する実施形態の留め部５２は、フィルターハウジング１１２中の対応する空洞１２０に対する取り付け及び取り外しを容易とし得る四半円の断面を有する。留め部５２及空洞１２０の数、サイズ、形状、及び構成は、所望に応じて用途により種々あり得る。例えば、留め部５２と空洞１２０の位置を逆にして、留め部がフィルターハウジング１１２から延び、空洞が粒子フィルター１０２に画定されるとしてもよい。
【００７５】
おそらく図２９Ａ及び２９Ｂにもっともよく示される通り、クリップ５４は、粒子フィルター１０２の枠部の両側部に回転可能に取り付けられる。各クリップ５４は、ハンドル１２２及びフック１２４を含んでもよい。ハンドル１２２は、クリップ５４を回転させるように操作者に用いられ得る構造を提供するように構成される。フック１２４は、閉位置へとクリップ５４が回転されるに従いロック用突出部１２６に係合するように構成される。フック１２４及びロック用突出部１２６は、クリップ５４が閉位置に近づくに従いその２つの間に短い距離の干渉があるように構成される。これは、閉位置でクリップ５４を固定するのを助けるスナップ嵌めを作り出す。閉位置のほうへさらに動かすことにより、フック１２４は、閉位置へのさらなる動きに対する抵抗を生み出しながら曲がる。クリップ５４が継続して閉位置のほうに向かうと、フック１２４は、干渉の領域を越え、元の曲がっていない状態へと戻り始める。これは、クリップ５４を残りの分押して閉位置へと入れる。例示する実施形態では、回転軸位置に対するフック１２４の位置及び構成は、クリップ５４が閉じられるに従い粒子フィルター１０２をフィルターハウジング１１２に引き込むカム状機能をクリップ５４が提供するように、選択される。クリップ５４の動作を図３０Ａ〜Ｄに示す。図３０Ａには、開位置にあるクリップ５４を示す。この位置でフック１２４は、ロック用突出部１２６から外れている。図３０Ｂは、部分的に閉位置にあるクリップ５４を示す。見られる通り、フック１２４はロック用突出部１２６に係合するように動いたところである。この位置で、粒子フィルター１０２は、基準線Ｒとの比較によって分かる通り、フィルターハウジング１１２に部分的に引き込まれている。図３０Ｃは、クリップ５４をさらに閉位置のほうに動かしたところを示す。この図では、フック１２４は、ロック用突出部１２６に係合し、その２つの間の干渉によりロック用突出部１２６から外向きへと曲がり始めている。見られる通り、粒子フィルター１０２はフィルターハウジング１１２へとさらに引き込まれる。図３０Ｄには、閉位置にあるクリップ５４を示す。この位置でフック１２４は、干渉の領域を越えて、ロック用突出部１２６に充分に係合される。粒子フィルター１０２はフィルターハウジング１１２の中に充分に引き込まれたところである。
【００７６】
粒子フィルター１０２の取り外しを図２８Ａ〜Ｄに関連して記載する。第１の例示では、前部カバー３２及び前置フィルター１００が取り外され、粒子フィルター１０２の扱いが可能となっている（図２８Ａ参照）。例示する実施形態では、前置フィルター１００を粒子フィルター１０２から取り外すことが必要ではない。次の例示では、クリップ５４のそれぞれは閉から開の位置に回転されている（図２８Ｂ参照）。これにより、フック１２４は、フィルターハウジング１１２のロック用突出部１２６から外れる。次の例示は、粒子フィルター１０２の上部がフィルターハウジング１１２から離れて傾いているところを示す（図２８Ｃ参照）。次の例示は、フィルター１０２がフィルターハウジング１１２から持ち上げられて留め部５２を空洞１２０から外したところを示す（図２８Ｄ参照）。粒子フィルター１０２は、基本的に逆の方法を用いて取り付けることができる。
【００７７】
クリップの設計及び構成は、用途により種々あり得る。代替的クリップ５４’及び５４”を図３１Ａ〜Ｄ及び３２Ａ〜Ｄに示す。これらの代替的実施形態の両方では、フィルター保持器アセンブリーは、閉位置でクリップ５４’、５４”を固定するロック用ピン１２８’、１２８”をさらに含む。ロック用ピン１２８’、１２８”は、粒子フィルター１０２から突出するが、あるいは、所望の場合にはフィルターハウジング１１２から突出してもよい。代替的なクリップ５４’は、クリップ５４’の外側縁端から突出する歯部１３０’を含む。歯部１３０’は、クリップ５４’が閉位置にあるときにロック用ピン１２８’中の対応する窪み１３２’に係合するように構成される。歯部１３０’とロック用ピン１２８’は一緒に、閉位置でクリップ５４’をスナップロックする。図３１Ａ〜Ｄを参照してクリップ５４’の動作を示す。図３１Ａでは、開位置にあるクリップ５４’を示す。この位置でフック１２４’は、ロック用突出部１２６’から外れている。図３１Ｂは、部分的に閉位置にあるクリップ５４’を示す。見られる通り、フック１２４’はロック用突出部１２６’に係合するように動く。この位置で、粒子フィルター１０２は、基準線Ｒとの比較によって分かる通り、フィルターハウジング１１２に部分的に引き込まれている。図３１Ｃは、クリップ５４’をさらに閉位置のほうに動かしたところを示す。この図では、フック１２４’は、ロック用突出部１２６’にさらに係合し、フィルター１０２をさらにフィルターハウジング１１２へと引き込んでいる。図３１Ｄでは、閉位置にあるクリップ５４’を示す。この位置で、歯部１３０’は窪み１３２’に嵌っており、粒子フィルター１０２はフィルターハウジング１１２に充分引き込まれている。歯部１３０’とロック用ピン１２８’の間の相互関係は、閉位置でクリップ５４’を固定するのを助ける。
【００７８】
代替的なクリップ５４”はクリップ５４’に類似する。本実施形態では、クリップ５４”は、ロック用ピン１２８”と相互作用してクリップ５４”の動きと感触を制御する一連の輪郭を含む。より詳しくは、クリップ５４”は、クリップ５４”が開又は閉の位置にあるときにロック用ピン１２８”と係合するように構成される止め部１３４”及び受け部１３６”を含む。止め部１３４”は、クリップ５４”が充分に開位置にあるときにロック用突出部１２８”に係合するように構成される。止め部１３４”は、クリップ５４”の動きの範囲を制限するのを助ける。受け部１３６”は、クリップ５４”が充分に閉位置にあるときにロック用ピン１２８”とインターロックするように構成される。クリップ５４”が閉じられるか又は開けられるに従いスナップ嵌め相互作用を生み出すように、受け部１３６”の前縁部を盛り上げてもよい。ここで、図３２Ａ〜Ｄを参照してクリップ５４”の動作を記載する。図３２Ａでは、開位置にあるクリップ５４”を示す。この位置でフック１２４”はロック用突出部１２６”から外されており、止め部１３４”はロック用ピン１２８”に係合されている。図３２Ｂは、部分的に閉位置にあるクリップ５４”を示す。フック１２４”はロック用突出部１２６”に係合するように動いたところである。この位置で、粒子フィルター１０２は、基準線Ｒとの比較によって分かる通り、フィルターハウジング１１２に部分的に引き込まれている。図３２Ｃは、クリップ５４”をさらに閉位置のほうに動かしたところを示す。この図では、フック１２４”は、ロック用突出部１２６”にさらに係合し、フィルター１０２をさらにフィルターハウジング１１２へと引き込んでいる。また、受け部１３６”の前縁部は、ロック用ピン１２８”に係合し始めたところである。図３２Ｄでは、閉位置にあるクリップ５４”を示す。この位置で、ロック用ピン１２８”と受け部１３６”は充分に係合し、粒子フィルター１０２はフィルターハウジング１１２に充分引き込まれている。ロック用ピン１２８”と受け部１３６”の間の関係は、閉位置でクリップ５４’を固定するのを助ける。
【００７９】
［Ｇ．代替的実施形態］
本発明は、幅広く種々の代替的実施形態で実施することができる。例えば、代替的な一実施形態を図３３Ａ〜５３Ｄに示す。以下に記載する範囲又は添付図面に示す範囲を除いて、この代替的実施形態は、上記の通り図１Ａ〜２０Ｂに示す実施形態と概して同じである。開示を容易とするために、この代替的実施形態は、数字「４」を前に付けているのを除いて、ＡＴＳ１０に関連して用いた符号と同じ符号で記載する。例えば、代替的ＡＴＳは符号４１０によって示し（ＡＴＳ１０と同様であり）、代替的ＡＴＳのＡＴＳハウジングは符号４１１０よって示す（ＡＴＳハウジング１１０と同様である）。
【００８０】
ここで図３３Ａ、３３Ｂ、及び３４を参照すると、概してＡＴＳ４１０は、制御システム４１２、ブロワー４５６、前置フィルター４１００、粒子フィルター４１０２、及び活性炭フィルター４１０４を収納するハウジングアセンブリーを含む。ＡＴＳ４１０は、未処理空気をシステムに引き込むことができる未処理空気入口４１０６ａ〜ｃを前部に含み、処理済み空気を環境に戻すことができる空気出口４１０８を後部に含む（図４４参照）。作動において、制御システム４１２は、ブロワー４５６を作動させて入口４１０６ａ〜ｃを通して未処理空気をＡＴＳ４１０の中に引き込み、未処理空気を３つのフィルター４１００、４１０２、及び４１０４に連続的に通し、次いで処理済み空気を出口４１０８を通して排出する。入口、出口、及び内部流路のサイズ、形状、及び構成は、所望に応じて用途により種々あり得る。
【００８１】
図３４を再び参照すると、ハウジングアセンブリーは概して、ハウジング本体４１１０、フィルターハウジング４１１２、及び上部ハウジング４１１３を含む。ハウジング本体４１１０は第一に、ＡＴＳ４１０の後部、側部、及び底部を形式する。ＡＴＳ１０と同様、フィルターハウジング４１１２は、ハウジング本体４１１０に付けられてＡＴＳ４１０の前部を閉じ、粒子フィルター４１０２及び炭素フィルター４１０４のための受け部を提供する。おそらく図４９に最もよく示されるように、上部ハウジング４１１３は、例えばネジ（図示せず）によってフィルターハウジング４１１２の後部側部取り付けられる。上部ハウジング４１１３は一体形ハンドル４４８を含む。本実施形態では、ハンドル４４８は、片手で掴める中心部分と、両手で掴める一対の側部分とを含む。例示する実施形態では、ハウジング本体４１１０は、手動で電源コード（図示せず）を巻くためのコード巻き４４４（又はボビン）を含む（図３３Ｂ参照）。本実施形態では、コード巻き４４４は、電源コード入口４４７の両脇に間隔を空けて配置される一対の指部４４５を含む。指部４４５のサイズ、形状、及び構成は、例えば電源コードの特性により種々あり得る。示す通り、コード巻き４４４は、ハウジング本体４１１０の窪みに配置されてもよく、そうして、突出せず、したがってＡＴＳ４１０の輪郭を大きくしない。
【００８２】
ＡＴＳ４１０は、ディスプレイ４１６及びフィルター４１００、４１０２、及び４１０４を覆うＡＴＳ４１０の前部を閉じる着脱可能な前部カバー４３２を含む。図３３ａ、４４、及び４６など種々の図に見られる通り、前部カバー４３２は中心入口４１０６ａを画定し、フィルターハウジング４１１２から間隔を空け、そうして、前部カバー４３２及びフィルターハウジング４１１２が側部入口４１０６ｂ〜ｃを協同的に画定するようになる。例示の前部カバー４３２は、不透明なプラスチック材料から、例えば、射出成形によって製造される。あるいは、前部カバー４３２は、幅広い範囲の代替的材料から製造され得る。本実施形態では、前部カバー４３２は、ディスプレイ４１６を覆う窓部４３３を含む。窓部４３３は、前部カバー４３２中に画定された対応する開口部４３５に嵌め込まれる。点灯されない表示要素を隠すために、本実施形態の窓部４３３は、表示要素４１８の上にある１つ又は複数の領域で少なくとも、半透明である。窓部４３３は、所望の半透明性を提供する塗料被覆又は膜被覆を有する半透明ポリマー（例えば成形熱可塑性樹脂）から製造してもよい。一実施形態では、窓部４３３は、インモールド膜法によって覆われる。「デッドフロント」ディスプレイの外観をより容易に適正とするために、窓部４３３に適用する塗料被覆又は膜被覆を慎重に制御する必要があり得る。あるいは、窓部４３３は、成形半透明熱可塑樹脂など、半透明な材料から製造してもよい。
【００８３】
例示する実施形態では、前部カバー４３２は、片手での取り外し及び取り付けを可能とするように構成される。前部カバー４３２は、上部には機械式取付部を、底部には一対の磁気式取付部を含む。ここで図４５Ａ、４５Ｂ、及び４６を参照すると、例示する実施形態の機械式取付部は留め部４３６（又は縁部）を含み、これは、前部カバー４３２から延びて、電子部品モジュール４１４の受け部４３７か又は電子部品モジュール４１４を囲む構造かに嵌るように構成される。留め部４３６は、別に製造して前部カバー４３２に付けてもよく（図４６参照）、あるいはそれは、前部カバー４３２と一体的に形成してもよい（図示せず）。本実施形態の留め部４３６は、前部カバー３２が閉じられるに従い留め部４３６が受け部４３７の中に保持されることを可能とする角度で向きを合せられる。それにより、前部カバー４３２は、それをＡＴＳハウジング４１１０に対して上向きにスライドさせることによってＡＴＳハウジング４１１０から外すことができる。この上向きのスライドの動きは、留め部４３６を受け部４３７から外すだけでなく、同時に、ＡＴＳハウジング４１１０中の取り付けプレート４９２から磁石４９０を外すことができ（後述の通り）、それによって取り外しを容易とする。留め部４３６のサイズ、形状、及び構成は、用途により種々あり得る。代替的実施形態では、留め部４３６は、受け部４３７と係合することのできる基本的に任意の他の凸形若しくは凹形構造か又は電子部品モジュール４１４の中若しくは回りの他の類似の構造かによって置き換えてもよい。
【００８４】
本実施形態の前部カバー４３２は、前部カバー４３２の底部の両側部寄りに２つの磁気式取付部位置を含む。各磁気式取付部は、前部カバー４３２に装着された磁石４９０と、ＡＴＳハウジング４１１０に取り付けられた磁気的に引力のあるプレート４９２とを含む（図４８参照）。磁石４９０は、前部カバー４３２の後部から突出する対応する埋め込み部４９４に取り付けられるディスク状希土類の磁石であってもよい。本実施形態では、プレート４９２は２つの機能、すなわち、（ｉ）磁石４９０に対して磁気的に引力のある構造を提供する機能と、（ｉｉ）ローラー４４７を回転可能に支持する機能と、を実施するように構成される。本実施形態では、各プレート４９２は、概してＬ形で、磁石４９０を受け入れるように配置された第１の脚部４９３と、ローラー４４７を回転可能に支持する第２の脚部４９５とを有する。第１の脚部４９３及び第２の脚部４９５は、概して平面であるが、強度を向上させるため又はＡＴＳ４１０の隣接する構成要素と嵌合するために、畝部又は他の輪郭を含んでもよい。第１の脚部４９３は、一対の取り付けタブ４９１を含み、これは、後方に延びて、プレート４９２が例えばネジ（図示せず）によってハウジング４１１０に付けられることを可能とする。第２の脚部４９５は、ローラー４４７の心棒（又はシャフト）を回転可能に受け入れるように構成される円形開口部４９７を画定する。使用においは、２つのプレート４９２は、ローラー４４７のシャフト又は心棒の両側端部を嵌め入れられる。本実施形態では、プレート４９２は、シート素材から打ち抜き加工され、左右両用に構成され、そうして、単にプレートを１８０度回すことによって同じプレート４９２をＡＴＳ４１０のどちら側でも用いることができる。例えば、取り付けタブ４９１は、垂直方向の中心に配してもよく、各タブ４９１は、第１の脚部４９３中の対応する端部から同じ距離、間隔を空けてもよい。また、円形開口部４９７は、第２の脚部４９５に面し、垂直に存在してもよい。
【００８５】
本実施形態では、制御システム４１２は、いつ前部カバー４３２が取り付けられたか及びいつそれが取り外されたかをシステムが認識することを可能とする容量性センサーを含む（下により詳細に説明する）。これにより、ＡＴＳ１０に関連して上で説明したような、前部カバーの存在を判定するために用いられるいかなるインターロック磁石又は磁場センサーの必要性もなくなる。
【００８６】
上記の通り、ＡＴＳ４１０は、前置フィルター４１００、粒子フィルター４１０２、及び炭素フィルター４１０４を含む。ＡＴＳ１０と同様、フィルターは、粒子フィルター４１０２に組み込まれたフィルター保持器アセンブリー４５０によってＡＴＳ４１０の中に固定される。より詳しくは、フィルターは、炭素フィルター４１０４をフィルターハウジング４１１２中の炭素フィルター受け部に嵌め込み、粒子フィルター４１０２を炭素フィルター４１０４上のフィルターハウジング４１１２中の粒子フィルター受け部に嵌め込み、フィルター保持器アセンブリー４５０を用いて粒子フィルター４１０２を固定し、前置フィルター４１００を粒子フィルター４１０２に付けることによって、取り付ける。本実施形態では、フィルター保持器アセンブリー４５０は、ＡＴＳ１０に関連して上で説明したフィルター保持器アセンブリー５０とは幾分異なる。本実施形態では、粒子フィルター４１０２の底部は、フィルターハウジング４１１２中の空洞４１２０に嵌め込まれる留め部４５２によって保持され、上部は、フィルターハウジング４１１２から延びるロック用突出部４１２６とインターロックするクリップ４５４（又は掛け具）によって保持される。図５２Ａ〜Ｄは、粒子フィルター４１０２をＡＴＳ４１０から取り外す方法を例示する。図５２Ａは、粒子フィルター４１０２が閉位置のクリップ４５４で取り付けられているところを示す。図５２Ｂは、粒子フィルター４１０２が開位置に回転されたクリップ４５４で取り付けられているところを示す。図５２Ｃは、粒子フィルター４１０２の上部がＡＴＳ４１０から傾いて離れているところを示す。フィルター４１０２の傾く動きはまた、留め部４５２を空洞４１２０から外す（又は大部分外す）。図５２Ｄは、粒子フィルター４１０２がＡＴＳ４１０から取り外されたところを示す。例示する実施形態では、クリップ４５４は、それが閉じられるに従い粒子フィルター４１０２をフィルターハウジング４１１２に堅く引きこむように構成される。これにより、粒子フィルター４１０２の端面シール（図示せず）を肩部４１１４に押し付けて気密の密封を容易とする。
【００８７】
ここで図５１Ａ〜Ｃを参照すると、留め部４５２は、粒子フィルター４１０２の枠部の底部中心に配置される。この実施形態の留め部４５２は、粒子フィルター４１０２の枠部に一体的に成形されるが、それは代わりに、別に形成して枠部に付けてもよい。例示する実施形態の留め部４５２は、フィルターハウジング４１１２中の対応する空洞４１２０に対する取り付け及び取り外しを容易とし得る四半円の断面を有する。留め部４５２及空洞４１２０の数、サイズ、形状、及び構成は、所望に応じて用途により種々あり得る。
【００８８】
本実施形態では、クリップ４５４は、粒子フィルター４１０２の枠部の上部中心の近くに回転可能に取り付けられる。クリップ４５４は、ハンドル４１２２、歯部４１３０、及びフック４１２４を含む。歯部４１３０は、閉位置へとクリップ４５４が回転されるに従いロック用ピン４１２８に係合するように構成される。より詳しくは、歯部４１３０とロック用ピン４１２８の間の干渉により、クリップ４５４が閉位置にスナップロックする。さらに、フック４１２４は、閉位置へとクリップ４５４が回転されるに従いロック用突出部４１２６に係合するように構成される。例示する実施形態では、フック４１２４及びロック用突出部４１２６の位置及び構成は、クリップ４５４が閉じられるに従い粒子フィルター４１０２をフィルターハウジング４１１２に引き込むカム状機能をクリップ４５４が提供するように、選択される。クリップ４５４の動作を図５３Ａ〜Ｄに示す。図５３Ａには、クリップ４５４が開位置にあり、フック４１２４がロック用突出部４１２６から外されているところを示す。図５３Ｂは、クリップ４５４が右回りに回転されて部分的に閉位置にあるところを示す。図５３Ｃは、クリップ４５４が右回りにさらに回転されて、歯部４１３０がロック用ピン４１２８に係合しようとしている位置にクリップ４５４があるところを示す。次に、図５３Ｄは、閉位置にあるクリップ４５４を示す。見られる通り、歯部４１３０は、ロック用ピン４１２８を越えて、今、閉／ロック位置から出ようとするクリップ４５４の動きに抵抗する。また、フック４１２４はロック用突出部４１２６に係合するように動いたところである。フック４１２４とロック用突出部４１２６の間の相互作用が、粒子フィルター４１０２を充分にフィルターハウジング４１１２へと引き込んでいる。
【００８９】
本実施形態では、前置フィルター４１００は、ＡＴＳ１０に組み込まれるのとは幾分異なる構成を用いて粒子フィルター４１０２に固定される。図３４に示す通り、前置フィルター枠部４１１６は、底部には一対のタブ４３０４を、上部には一対のスロット入りタブ４３０６を含む。図５１Ａ〜Ｃに示す通り、粒子フィルター４１０２は、底部には一対のスロット入り足部４３００を、上部には一対の指部４３０２を含む。指部４３０２は、スロット入りタブ４３０６との係合へとスナップロックするように構成してもよい。例えば、指部４３０２は、粒子フィルター枠部から上向きに角度を設けてもよい。使用において、まず、前置フィルター枠部４１１６の底部のタブ４３０４を粒子フィルター４１０２の底部の足部４３００のスロットの中に挿入し、次いで、前置フィルター４１００の上部を粒子フィルター４１０２の上部に向けて内向きに傾けてスロット入りタブ４３０６を粒子フィルター４１０２の上部の指部４３０２上にスナップ嵌めすることによって、前置フィルター４１００を粒子フィルター４１０２に固定する。
【００９０】
［制御システム］
ＡＴＳ４１０は制御システム４１２を含み、これは、ＡＴＳ４１０の作動を制御し、情報を表示するため及び操作者から入力を受け入れるためのユーザーインターフェイスを提供する。制御システム４１２の主要な機能は、感知したパラメーター又は操作者の入力に基づいて空気を処理するようにＡＴＳ４１０の作動する速度を制御し、フィルターの使用量を追跡監視し、操作者にモード、モーター速度設定、及びフィルター寿命を知らせ、操作者のコマンドを受け入れることである。制御システム４１２は、情報を表示し、かつシステムの作動及びメンテナンスに関連した操作者入力を受け入れる「デッドフロント」ディスプレイ４１６として実装されるユーザーインターフェイスを含む。ディスプレイ４１６は、情報を提供するため及び任意の所与の時に得られる制御オプションを提示するために変化する動的ディスプレイを提供するように、点灯されたときにのみ見える複数の表示要素４１８を含む（図４０と４１を比較）。上で説明したディスプレイ１６と同様に、ＡＴＳ４１０のディスプレイ４１６は、ＡＴＳの状態又はモニターする特性に関する情報を提供するように点灯される情報型表示要素４１８ａと、操作者が入力を制御システム４１２に提供することを可能とするようにタッチセンサーを組み込む入力表示要素４１８ｂとを含む（図４１参照）。ユーザーの入力を可能とすることに加えて、入力表示要素４１８ｂはまた、作動モードやブロワー速度など、ＡＴＳの状態に関する情報を提供してもよい。ディスプレイ４１６は、上に説明したディスプレイ１６と基本的に同じ表示要素４１８を含むが、但し、表示要素４１８は異なるように配置され、ディスプレイ４１６は、組み込まれたＷｉＦｉ送受信機を用いていつディスプレイ４１６が外部ネットワークと通信しているかを示すように１つの追加的な表示要素を含む。
【００９１】
制御サブシステム４６０は、制御回路及びファームウェアを含み、これは、ＡＴＳ４１０を作動させ、容量性タッチセンサーアレイ４６４、ほこりセンサー４８０、ＲＦＩＤサブシステム４６８、及び無線通信サブシステム４７０を含めた他の種々のサブシステムからのデータの収集を調整するように構成される。以下に、システムの作動の種々のモードをより詳細に記載する。図３６の概略説明図を参照すると、電子部品モジュール４１４は、主要アプリケーションコントローラー５１０、タッチ検知コントローラー５１２、ＬＥＤドライバーコントローラー５１４、ＲＦＩＤコントローラー５１６を有する分散制御装置を概して含む。主要コントローラー５１０は、ほこりセンサー４８０と、ＲＦＩＤサブシステム４６８（ＲＦＩＤコントローラー５１６及びＲＦＩＤアンテナ５１８を含む）と、無線通信サブシステム４７０（ブルートゥースモジュール５２０及びＷｉＦｉモジュール５２２を含む）と、ディスプレイ４１６を構成する電気部品（ＬＥＤドライバーコントローラー５１４及びタッチ検知コントローラー５１２を含む）と、に接続される。主要なコントローラー５１０はまた、ブロワーモーター電源５３０に連結され、主要コントローラー５１０がブロワー速度を制御すること及び用途によってはブロワーモーター電源５３０からフィードバックを受け入れることを可能とする。主要なアプリケーションコントローラー５１０はまた、可聴式出力を提供するためのブザー５２４と、診断のためのＵＡＲＴヘッダー５２６と、前もってプログラムされた作動関連デフォルト値だけでなくフィルターの寿命、使用時間、計数、及びＡＴＳ４１０の作動に関連して使用され得る他の変数など、作動関連履歴データをも格納するための、ＥＥＰＲＯＭ５２８など非揮発性メモリと、に連結される。タッチ検知コントローラー５１２は、複数の容量性トレース要素５３２によって画定される容量性タッチキーと、周辺光センサー５３４とに電気的に接続される。使用において、タッチ検知コントローラー５１２は、容量性トレース要素及び周辺光センサー５３４をモニターし、タッチ／近接情報及び周辺光情報を主要アプリケーションコントローラー５１０に提供することができる。ＬＥＤドライバーコントローラー５１４は、ＬＥＤアレイ４６２に連結される。作動において、ＬＥＤドライバーコントローラー５１４は、主要アプリケーションコントローラー５１０から受け入れたコマンドに従って、ＬＥＤアレイ４６２中の個々のＬＥＤを点灯させてもよい。
【００９２】
制御システム４１２は、内蔵型電子部品モジュール４１４に組み込まれる。ここで図３７〜３９を参照すると、ＡＴＳ４１０の電子部品モジュール４１４は、基部４１５０、ほこりセンサーカバー４１５２、電子部品アセンブリー５５０、及び画面４７４を概して含む。本実施形態では、基部４１５０は、フィルターハウジング４１１２に取り付けられ、電子部品モジュール４１４の種々の構成要素が取り付けられる構造を提供する。基部４１５０は、例えば、取り付けタブ５５２を通って延びるネジ（図示せず）によって電子部品アセンブリー５５０が基部４１５０の下側に取り付けられることを可能とする電子部品アセンブリー受け部（図示せず）を含む。基部４１５０はまた、ほこりセンサー４８０を受け入れ、空気をほこりセンサー４８０に対して送るように流路を提供するほこりセンサー区画部５６０を含む。流路は、センサー入口４８２、センサートンネル４８４、及びセンサー出口４８６を概して含む。センサー入口４８２は、ほこりセンサー４８０を大きい粒子が詰まらせるのを防ぐようにほこりセンサー画面５６２によって閉じてもよい。ほこりセンサー４８０は、ほこりセンサー４８０の周りに漏れ止め密封を作り出す一対のゴム殻半分体４８８ａ及び４８８ｂの中に封入してもよい。ほこりセンサーカバー４１５２は、空気がほこりセンサー区画部５６０から粒子フィルター４１０２より上流の位置に流れ出ることを可能とする複数の空気流れ開口部５６４を画定してもよい。ブロワー４５６によって作り出される部分真空が空気をほこりセンサー流路に沿ってＡＴＳ４１０に引きこむシステムについて、ほこりセンサー流路が記載されていることに留意されたい。あるいは、ブロワーがほこりセンサーカバー４１５２中の空気流れ開口部５６４で作り出すよりもＡＴＳ４１０によって空気出口４１０８を通して排出される空気のほうがが大きい部分真空をセンサー入口４８２で作り出す場合、空気はほこりセンサー流路を通って逆に流れてもよい。
【００９３】
ＡＴＳ４１０の電子部品アセンブリー５５０は、底部ＰＣＢ５６６、光ガイド４７２、及び上部ＰＣＢ５６８を概して含む（図３９参照）。底部ＰＣＢ５６６は、種々のコントローラー及びＬＥＤアレイ４６２を含む、回路及び回路構成要素の大部分を支持してもよい。ＬＥＤアレイは、適切なときに選択的に点灯され得る複数の個々のＬＥＤ４６２ａを含んでもよい。各ＬＥＤ４６２ａは、種々の点灯オプションを提供する単一のＬＥＤ又は複数のＬＥＤを含んでもよい。本実施形態では、フィルター寿命表示要素に関連づけられた各ＬＥＤは、赤色ＬＥＤ及び緑色ＬＥＤを含んでもよく、ＴＳ表示要素、電源表示要素、及び線表示要素に関連づけられた各ＬＥＤは白色ＬＥＤを含んでもよく、ブロワー速度表示要素、ターボモード表示要素、ＷｉＦｉ表示要素、及びほこりセンサークラウド（ｃｌｏｕｄ）センサー要素に関連づけられた各ＬＥＤは青色ＬＥＤ及び白ＬＥＤを含んでもよく、第１のほこりレベルディスプレイに関連づけられたＬＥＤは赤色ＬＥＤ、緑色ＬＥＤ、及び黄色ＬＥＤを含んでもよい。第２及び第３のほこりレベルに関連づけられた各ＬＥＤは赤色ＬＥＤ及び黄色ＬＥＤを含んでもよく、第４及び第５のほこりレベルに関連づけられた各ＬＥＤは赤色ＬＥＤを含んでもよく、夜間モード表示要素に関連づけられた各ＬＥＤは赤色ＬＥＤ及び白色ＬＥＤを含んでもよい。ＡＴＳ１０と同様、ＬＥＤアレイ４６２は、ＯＬＥＤ、レーザー、及びＥＬ光源など、他の種類の光源で置き換えるか又は補ってもよい。
【００９４】
光ガイド４７２は、ＰＣＢ５６６及び５６８のための取り付け構造を提供し、複数の光ダクト４７２ａを含み、これは、画面４７４上の表示要素４１８を点灯させるように光を底部ＰＣＢ５６６上のＬＥＤアレイ４６２から上部ＰＣＢ５６８中の開口部を通して伝達する。光ダクト４７２ａは、ＬＥＤ４６２ａから対応する表示要素４１８への光流路を作り出すように構成される。光ダクト４７２ａは、１つのＬＥＤ４６２ａから隣接する表示要素４１８への光のブリーディングを防ぐようにお互いから絶縁してもよい。光ダクト４７２ａの面は、拡散光を作り出すように被覆するかざらざらにしてもよい。
【００９５】
上部ＰＣＢ５６８は、光ガイド４７２の上部に取り付けられる。上部ＰＣＢ５６８は複数の光開口部５７０を画定し、複数のトレース要素５３２は容量性タッチセンサーとして機能する。本実施形態では、上部ＰＣＢ５６８は、各表示要素４１８のための個々の光開口部５７０を含む（図３８及び３９参照）。光開口部５７０のサイズ、形状、及び構成は、例えば、所望の光効果に応じて、用途により種々あり得る。上記の通り、制御システム４１０は、複数の容量性タッチセンサー４６４を含む。容量性タッチセンサーの設計及び構成は、用途により種々あり得る。例えば、各容量性タッチセンサーは一対の電極を含んでもよく、タッチが、その対の電極間相互の静電容量をモニターすることによって認識されてもよい。他の一例としては、各容量性タッチセンサーは単一の電極を含んでもよく、タッチが電極の自己容量をモニターすることによって認識されてもよい。ここで図３９を参照すると、トレース要素５３２（又は一対のトレース要素）は、入力表示要素４１８ｂに関連づけられた各光開口部５７０の回りに延びる。より詳しくは、伝導性銅要素など、伝導性トレース要素５３２（又は一対のトレース要素）が、入力表示要素４１８ｂに関連づけられた各光開口部５７０の外周に設けられる。各伝導性トレース要素５３２の構成のサイズ、形状、領域、及び他の態様は、所望のタッチセンサー特性を提供するように用途により種々あり得る。加えて、上部ＰＣＢ５６８は、ユーザーの近接を感知することを意図した追加的な伝導性トレース要素５３２ｂを含んでもよい。図３９に示す通り、近接センサートレース要素５３２ｂは、上部ＰＣＢ５６８のかなりの部分に沿って延びる比較的大きいトレース要素であってもよい。使用において、タッチ検知コントローラー５１２は、いつタッチ又は近接のイベントが起こったかを判定するように、種々の伝導性トレース要素５３２をモニターしてもよい。
【００９６】
本実施形態では、制御システム４１２は、表示要素４１８の全てを覆う単一の画面４７４を含む。画面４７４は、拡散層及びマスク層を概して含む積層構造である。拡散層は、ＬＥＤが発生させる光を拡散させる。インク、塗料、膜、及び他の接着剤層など、種々の不透明及び半透明材料を含め、マスク層は、所望の図柄を作り出すために光をマスクする。例示する実施形態では、マスク層は、拡散層の、ＬＥＤ又は他の光源とは反対側の外面に配置されるが、所望の場合には他のところに配置してもよい。拡散層及びマスク層は、例示する実施形態では単一積層構造の一部であるが、代わりにそれらは別々の構成要素であってもよい。例えば、それらは、別に製造して、ディスプレイ４１６の組み立て中に、互いに隣接させて配置してもよい。
【００９７】
ここで、図４２及び４３を参照して、ＡＴＳ４１０の作動を記載する。図４２は、情報型表示要素４１８ａ及び入力表示要素４１８ｂを含む、全ての表示要素４１８の概要を示す、ディスプレイ４１６の例示である。図４３は、異なる作動モードにおけるディスプレイ４１６ａ〜ｍの一連の例示を示す。例示する実施形態では、ディスプレイ４１６は、電源停止時に３つの異なる状態にあることが可能である。ＡＴＳ４１０の電源が抜かれているか又は他の状態で電源を受けていないかするとき、ディスプレイ４１６ａが示す通り、ディスプレイには全く何も表示されない。ＡＴＳ４１０を電源に接続してはいるが電源を入れておらず、ユーザーが近接していない場合、表示要素６１８ａ〜ｃは、ディスプレイ４１６ｂが示す通り、ディスプレイ４１６を横切る線を表示するように点灯される。ＡＴＳ４１０を電源に接続してはいるが電源を入れておらず、ユーザーが近接している場合、表示要素６１８ａ〜ｃ及び６０８は、ディスプレイ４１６ｃが示す通り、線と電源アイコンを表示するように点灯される。
【００９８】
制御システム４１２は、ユーザーが近接していることを、容量性トレース要素５３２ｂをモニターすることによって判定してもよい。制御システム４１２及び近接トレース要素５３２ｂは、ユーザーがいつ近接しているかを、種々の代替的方法を用いて判定するように構成してもよい。例示する実施形態では、制御システム４１２及び近接トレース要素５３２ｂは、ユーザーが、例えば、窓部４３３の約１２インチ（３０．４８ｃｍ）以内でディスプレイ４１６上にユーザーの手を振り動かすことによってトレース要素５３２ｂの約１２インチ（３０．４８ｃｍ）以内に入ったとき、ユーザーが近接しているということを判定するように構成される。ユーザーが近接しているとシステムが決定できるためにはユーザーがどれだけ近くなければならないかを増加又は減少させるように、トレース要素５３２ｂのサイズ、形状、及び構成、並びに／又はトレース要素５３２ｂで感知される変化に対する制御システム４１２の感度を変化させてもよい。制御システム４１２は、ユーザーが近接していないことを、ディスプレイ４１６がユーザー入力を受信した後の時間の経過に基づいて判定してもよい。例えば、制御システム４１２は、ユーザー入力イベントが起こるたびにカウントダウンタイマーをリセットしてもよい。ユーザー入力イベントは、ユーザーがタッチキートレース要素５３２に触れるたび又はユーザーが近接トレース要素５３２ｂの充分近くに入るたびに起こってもよい。カウントダウンタイマーがゼロに達した場合、制御システム４１２は、ユーザーが近接していないと決定し、それに応じてディスプレイ４１６を調整する。次いで、制御システム４１２は、ユーザーがディスプレイ４１６に対して充分な近くに戻ったかを判定するために、近接トレース要素５３２ｂのモニターを継続し始めてもよい。加えて、制御システム４１２はまた、タッチキートレース要素５３２がユーザーによって触れられた場合に、ユーザーが近接していることを決定してもよい。
【００９９】
一旦電源が入ると、ディスプレイ４１６は、種々の代替的状態で作動することが可能である。ＡＴＳ４１０が手動モードにあり、ユーザーが近接している場合、表示要素の全ては、ディスプレイ４１６ｄが示す通り、適切なように点灯される。表示要素６１８ａ〜ｃは、点灯されて線を示す。表示要素６０８は、点灯されて電源アイコンを示す。表示要素６１４は、点灯されて夜間モードアイコンを示す。ＡＴＳ４１０が夜間モードにないため、表示要素６１４は白色に点灯される。ほこりアイコン６０６ａ及び適切なほこりレベル指示器６０６ｂを含む表示要素６０６が点灯される。ＡＴＳ４１０が自動モードにないため、ほこりアイコン６０６ａは白色に点灯される。また、ほこりレベルが充分に低いため、単一のほこりレベル指示器６０６ｂのみが点灯され、それは緑色に点灯される。ブロワーアイコン６１６ａ及び適切なブロワー速度指示器６１６ｂを含む表示要素６１６が点灯される。ＡＴＳ４１０が手動モードにないため、ブロワーアイコン６１６ａは青色に点灯される。ブロワー速度指示器６１６ｂの全てが点灯され、実際のブロワー速度を表す指示器は青色に点灯され、利用できるより高いブロワー速度は白色に点灯される。表示要素６１２は白色に点灯され、ＡＴＳ４１０がターボモードにないことを示す。ＡＴＳアイコン６０５を含め、フィルター寿命表示要素６００、６０２、６０４が点灯される。この例では、フィルターの全てが余寿命を有し、したがって、緑色に点灯されている。ＡＴＳアイコン６０５は白色に点灯される。次に、表示要素６２０は、点灯されてＷｉＦｉアイコンを表示する。この例では、ＷｉＦｉ転送が起こっておらず、そのためＷｉＦｉアイコンは白色に点灯される。操作者がもはや近接していない場合、ディスプレイ４１６は低下状態に移行し、大幅により少ない表示要素を示す。ディスプレイ４１６ｅを参照すると、表示要素６１８ｂは、点灯されて線の中心部分を示す。ほこりアイコン６０６ａ及び適切なほこりレベル指示器６０６ｂを含め、表示要素６０６が点灯される。ブロワーアイコン６１６ａ及び適切なブロワー速度指示器６１６ｂを含む表示要素６１６が点灯される。この状態で、実際のブロワー速度を表すブロワー速度指示器のみが青色に点灯される。利用できるより高いブロワー速度は点灯されない。フィルターのいずれが寿命となった場合も、ディスプレイはまた、ＡＴＳアイコン６０５を含め、フィルター寿命表示要素６００、６０２、６０４を示す。ディスプレイ４１６ｆに示す例では、前置フィルターアイコン６００は緑色に点灯されてそれが余寿命を有することを示し、粒子フィルターアイコン６０２及び炭素フィルターアイコン６０４は赤色に点灯されてそれらが寿命となったことを示し、ＡＴＳアイコンは白色に点灯されている。
【０１００】
操作者は、ほこりセンサーアイコン６０６ａにタッチすることによってＡＴＳ４１０を自動モードにすることができる。ＡＴＳ４１０が自動モードにあり、ユーザーが近接している場合、表示要素の全ては、ディスプレイ４１６ｇが示す通り、適切なように点灯される。表示要素６１８ａ〜ｃは、点灯されて線を示す。表示要素６０８は、点灯されて電源アイコンを示す。表示要素６１４は、白色に点灯されて夜間モードアイコンを示す。ほこりアイコン６０６ａ及び適切なほこりレベル指示器６０６ｂを含め、表示要素６０６が点灯される。ＡＴＳ４１０が自動モードにあるため、ほこりアイコン６０６ａは青色に点灯される。また、ほこりレベルが最も高いディスプレイレベルにあるため、ほこりレベル指示器６０６ｂの全てが赤色に点灯される。ブロワーアイコン６１６ａ及び適切なブロワー速度指示器６１６ｂを含む表示要素６１６が点灯される。ＡＴＳ４１０が自動モードにあるため、ブロワーアイコン６１６ａは白色に点灯される。実際のブロワー速度を表すブロワー速度指示器６１６ｂが青色に点灯される。この例では、ブロワーが最高速度で作動しており、そのため全ての指示器が青色に点灯されている。表示要素６１２は白色に点灯され、ＡＴＳ４１０がターボモードにないことを示す。ＡＴＳアイコンを含め、フィルター寿命表示要素６００、６０２、６０４が点灯される。この例では、フィルターの全てが余寿命を有し、したがって、緑色に点灯されている。ＡＴＳアイコンは白色に点灯される。次に、表示要素６２０は、点灯されてＷｉＦｉアイコンを表示する。この例では、ＷｉＦｉ転送が起こっておらず、そのためＷｉＦｉアイコンは白色に点灯される。操作者がもはや近接していない場合、ディスプレイ４１６は低下状態に移行し、大幅により少ない表示要素を示す。ディスプレイ４１６ｈを参照すると、表示要素６１８ｂは、点灯されて線の中心部分を示す。ほこりアイコン６０６ａ（青色）及び適切なほこりレベル指示器６０６ｂ（赤色）を含め、表示要素６０６が点灯される。ブロワーアイコン６１６ａ（白色）及び適切なブロワー速度指示器６１６ｂ（青色）を含め、表示要素６１６が点灯される。フィルターのいずれが寿命となった場合も、ディスプレイ４１６はまた、ＡＴＳアイコン６０５を含め、フィルター寿命表示要素６００、６０２、６０４を示す（例えば図４１６ｆ参照）。
【０１０１】
操作者は、ターボアイコンにタッチすることによってターボモードを起動することができる。ＡＴＳ４１０がターボモードにあり、ユーザーが近接している場合、表示要素の全ては、ディスプレイ４１６Ｌが示す通り、適切なように点灯される。表示要素６１８ａ〜ｃは、点灯されて線を示す。表示要素６０８は、白色に点灯されて電源アイコンを示す。表示要素６１４は、白色に点灯されて夜間モードアイコンを示す。ほこりアイコン６０６ａ（白色）及び適切なほこりレベル指示器６０６ｂを含め、表示要素６０６が点灯される。ほこりレベルが中程度であるので、３つのほこりレベル指示器が黄色に点灯される。ブロワーアイコン６１６ａ（白色）及び適切なブロワー速度指示器６１６ｂを含め、表示要素６１６が点灯される。ＡＴＳ４１０がターボモードにあるので、ブロワーが最高速度で作動しており、指示器６１６ｂ全てが青色に点灯されている。表示要素６１２は青色に点灯され、ＡＴＳ４１０がターボモードにあることを示す。ＡＴＳアイコン６０５を含め、フィルター寿命表示要素６００、６０２、６０４が点灯される。この例では、フィルターの全てが余寿命を有し、したがって、緑色に点灯されている。ＡＴＳアイコンは白色に点灯される。次に、表示要素６２０は、点灯されてＷｉＦｉアイコンを表示する。この例では、ＷｉＦｉ転送が起こっておらず、そのためＷｉＦｉアイコンは白色に点灯される。操作者がもはや近接していない場合、ディスプレイ４１６は低下状態に移行し、大幅により少ない表示要素を示す。ここでディスプレイ４１６ｊを参照すると、表示要素６１８ａ及び６１８ｂは、点灯されて線の左と中心の部分を示す。ほこりアイコン６０６ａ（白色）及び適切なほこりレベル指示器６０６ｂ（黄色）を含め、表示要素６０６が点灯される。ブロワーアイコン６１６ａ（白色）及び適切なブロワー速度指示器６１６ｂ（青色）を含め、表示要素６１６が点灯される。表示要素６１２は青色に点灯され、ＡＴＳ４１０がターボモードにあることを示す。フィルターのいずれが寿命となった場合も、ディスプレイ４１６はまた、ＡＴＳアイコン６０５を含め、フィルター寿命表示要素６００、６０２、及び６０４を示す（例えばディスプレイ４１６ｆ参照）。
【０１０２】
ＡＴＳ４１０は、夜間モードアイコンにタッチすることによって、夜間モードにすることができる。ディスプレイ４１６は、夜間モードにあるとき、ディスプレイ４１６ｋに示す通り、赤色に点灯される夜間アイコン６１４のみを示す。制御システム４１２は、夜間モードにあるとき、ブロワー４５６の最高速度を制限し、ブロワー４５６が１つの速度から他の速度へと移行する速度を遅くする。制御システム４１２は、夜間モードにあるとき、他の特徴を実行するように構成してもよい。本実施形態では、制御システム４１２は、夜間モードにあるとき、手動又は自動モードで作動させてもよい。例えば、ユーザーは、制御システム４１２が手動モード又は自動モードのいずれかにある間夜間モードアイコン６１４にタッチしてもよく、制御システム４１２は、夜間モードに移行し、そうでなければ既存のモードに従ってブロワー４５６を作動させ続ける。制御システム４１２は、夜間モードから手動モードに移行するとき、手動で設定した速度が最高速度閾値より上でなければ、手動で指定した速度でブロワー４５６を作動させ続ける。その場合、制御システム４１２は、ブロワー速度を低減させて、夜間モードのための最高速度閾値に合致する。制御システム４１２は、自動モードから夜間モードに移行するとき、自動速度制御アルゴリズムがブロワー速度を制御することを可能とするが、但し、制御システム４１２は、ブロワー速度が最高速度の閾値を超えることができるようにはせず、１つのブロワー速度から他のブロワー速度への変化がより遅い移行速度で起こる。
【０１０３】
ＡＴＳ４１０はまた、ＷｉＦｉ又は他の無線通信システムを用いて外部アプリケーションに接続する能力を有してもよい。無線通信モードに入るためには、操作者は、ＷｉＦｉアイコン（表示要素６２０）にタッチすることができる。ＡＴＳ４１０が無線接続を確立しようとする一方で、表示要素６２０は、ディスプレイ４１６１が示す通り、点滅パターンで青色に点灯され得る。一旦接続が確立された状態にあり、同時にＡＴＳ４１０が無線通信モードのままである間、点滅は終了させてもよく、表示要素６２０は、ディスプレイ４１６ｍが示す通り、青色に点灯させてもよい。本実施形態では、無線通信は、いかなる作動モード中においても用いることができ、制御システム４１２は、既存の作動モードに従ってディスプレイ４１６を作動させ続けてもよい。ＡＴＳ４１０の作動に関して、異なるフィルターのフィルター寿命データ、ブロワーモーターの作動の速度及び時間、並びに時間の経過に伴うほこりセンサー指示値などを、遠隔位置へ転送するために無線通信を用いてもよい。無線通信はまた、メンテナンス又は修理が必要か否かを判定するために遠隔位置の個人がＡＴＳ４１０の作動を評価することを可能にし得るデータを含め、診断情報を送るために用いてもよい。さらに、制御システム４１２内に含まれるファームウェア及び／又は他のいかなるプログラミング若しくはデータをも更新するために無線通信を用いてもよい。
【０１０４】
上の記載は、本発明の現在の実施形態のそれである。添付の特許請求の範囲に規定する本発明の趣旨及びより広い態様から逸脱することなく種々の改造及び変更を行ってもよく、それらは、均等論を含む特許法の原則に従って解釈されるものとする。本開示は、例示的な目的のために提示されており、本発明の全ての実施形態の網羅的な記載としても、また、これらの実施形態に関連して例示又は記載される特定の要素に特許請求の範囲を限定するとしても、解釈されるものではない。例えば、限定はしないが、記載される発明の個々のいかなる要素も、実質的に同様の機能性を提供するか又は他のように適切な作動を提供するかする代替的要素によって置き換えてもよい。例えば、これは、当業者に現在公知であり得るものなど、現在公知の代替的要素と、開発され次第代替的形態として当業者が認識し得るものなど、将来開発される可能性のある代替的要素とを含む。さらに、開示される実施形態は、調和的に記載されかつ一群の利点を協同的に提供する複数の特徴を含む。本発明は、これらの特徴の全てを含むか又は述べられた利点の全てを提供するかする実施形態のみに限定されないが、但し、発行された特許請求の範囲に他のように明示的に規定した範囲は除く。単数の特許請求要素への、例えば冠詞「ａ」、「ａｎ」、「ｔｈｅ」、又は「ｓａｉｄ」を用いたいかなる言及も、要素を単数に限定すると解釈されないものとする。
【図１Ａ】
2020001039.tif 000003
【図１Ｂ】
2020001039.tif 000004
【図２】
2020001039.tif 000005
【図３】
2020001039.tif 000006
【図４】
2020001039.tif 000007
【図５】
2020001039.tif 000008
【図６】
2020001039.tif 000009
【図７】
2020001039.tif 000010
【図８】
2020001039.tif 000011
【図９Ａ】
2020001039.tif 000012
【図９Ｂ】
2020001039.tif 000013
【図１０】
2020001039.tif 000014
【図１１】
2020001039.tif 000015
【図１２】
2020001039.tif 000016
【図１３】
2020001039.tif 000017
【図１４】
2020001039.tif 000018
【図１５】
2020001039.tif 000019
【図１６】
2020001039.tif 000020
【図１７Ａ】
2020001039.tif 000021
【図１７Ｂ】
2020001039.tif 000022
【図１８】
2020001039.tif 000023
【図１９Ａ】
2020001039.tif 000024
【図１９Ｂ】
2020001039.tif 000025
【図２０Ａ】
2020001039.tif 000026
【図２０Ｂ】
2020001039.tif 000027
【図２１】
2020001039.tif 000028
【図２２】
2020001039.tif 000029
【図２３】
2020001039.tif 000030
【図２４】
2020001039.tif 000031
【図２５】
2020001039.tif 000032
【図２６】
2020001039.tif 000033
【図２７】
2020001039.tif 000034
【図２８Ａ】
2020001039.tif 000035
【図２８Ｂ】
2020001039.tif 000036
【図２８Ｃ】
2020001039.tif 000037
【図２８Ｄ】
2020001039.tif 000038
【図２９Ａ】
2020001039.tif 000039
【図２９Ｂ】
2020001039.tif 000040
【図３０Ａ】
2020001039.tif 000041
【図３０Ｂ】
2020001039.tif 000042
【図３０Ｃ】
2020001039.tif 000043
【図３０Ｄ】
2020001039.tif 000044
【図３１Ａ】
2020001039.tif 000045
【図３１Ｂ】
2020001039.tif 000046
【図３１Ｃ】
2020001039.tif 000047
【図３１Ｄ】
2020001039.tif 000048
【図３２Ａ】
2020001039.tif 000049
【図３２Ｂ】
2020001039.tif 000050
【図３２Ｃ】
2020001039.tif 000051
【図３２Ｄ】
2020001039.tif 000052
【図３３Ａ】
2020001039.tif 000053
【図３３Ｂ】
2020001039.tif 000054
【図３４】
2020001039.tif 000055
【図３５】
2020001039.tif 000056
【図３６】
2020001039.tif 000057
【図３７】
2020001039.tif 000058
【図３８】
2020001039.tif 000059
【図３９】
2020001039.tif 000060
【図４０】
2020001039.tif 000061
【図４１】
2020001039.tif 000062
【図４２】
2020001039.tif 000063
【図４３】
2020001039.tif 000064
【図４４】
2020001039.tif 000065
【図４５Ａ】
2020001039.tif 000066
【図４５Ｂ】
2020001039.tif 000067
【図４６Ａ】
2020001039.tif 000068
【図４６Ｂ】
2020001039.tif 000069
【図４７】
2020001039.tif 000070
【図４８Ａ】
2020001039.tif 000071
【図４８Ｂ】
2020001039.tif 000072
【図４９】
2020001039.tif 000073
【図５０】
2020001039.tif 000074
【図５１Ａ】
2020001039.tif 000075
【図５１Ｂ】
2020001039.tif 000076
【図５１Ｃ】
2020001039.tif 000077
【図５１Ｄ】
2020001039.tif 000078
【図５２Ａ】
2020001039.tif 000079
【図５２Ｂ】
2020001039.tif 000080
【図５２Ｃ】
2020001039.tif 000081
【図５２Ｄ】
2020001039.tif 000082
【図５３Ａ】
2020001039.tif 000083
【図５３Ｂ】
2020001039.tif 000084
【図５３Ｃ】
2020001039.tif 000085
【図５３Ｄ】
2020001039.tif 000086
【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
空気処理システムであって、
フィルターハウジングと、
前記ハウジングに嵌めこまれたフィルターであって、前記フィルターは、枠部と前記枠部に回転可能に取り付けられたクリップとを有し、前記クリップは、開位置と閉位置との間で手動で動作可能であり、前記クリップは、該クリップが前記開位置から前記閉位置に動くに従い前記フィルターを前記フィルターハウジングに引き込むよう、及び前記閉位置にあるときに前記フィルターハウジングの中で前記フィルターを固定するよう、前記フィルターハウジングと相互作用するように構成される、フィルターと、
を備え、
前記クリップは前記フィルターの一端部寄りに配置され、
前記フィルターは該フィルターの反対側の端部寄りに配置される留め部を含み、該留め部は前記枠部から突出して前記フィルターハウジングと係合するように構成され、前記フィルターは、前記留め部を前記フィルターハウジングに嵌め込み、かつ前記クリップを前記開位置から前記閉位置に動かして前記フィルターハウジングの中に固定される、空気処理システム。
【請求項２】
前記フィルターハウジングはロック用突出部を含み、前記クリップは前記閉位置にあるときに前記ロック用突出部に係合するように構成されるフックを含む、ことを特徴とする請求項１に記載の空気処理システム。
【請求項３】
前記クリップ及び前記ロック用突出部は、前記フックが部分的に前記開位置と前記閉位置の間の動きを通して前記ロック用突出部との最初の係合に入るよう、及び前記最初の係合に続く前記閉位置への前記クリップの連続した動きが前記フィルターを前記フィルターハウジングに引き込むよう構成される、ことを特徴とする請求項２に記載の空気処理システム。
【請求項４】
前記フィルターハウジングは肩部を含み、前記フィルターは前記肩部に係合された端面シールを含み、前記フィルターハウジングへの前記フィルターの引き込みが前記端面シールを前記肩部に押し付ける、ことを特徴とする請求項３に記載の空気処理システム。
【請求項５】
前記フックと前記ロック用突出部は、前記クリップが前記開位置から前記閉位置に動かされる際に前記フックが前記クリップの回りで変形するように構成され、該変形は、前記閉位置に出入りする前記クリップの動きに抵抗するスナップ嵌め係合を生み出す、ことを特徴とする請求項４に記載の空気処理システム。
【請求項６】
前記フィルターは前記クリップに隣接して配置されるロック用ピンを含み、前記クリップは、該クリップが前記閉位置に出入りする前記クリップの動きに抵抗するスナップ嵌め係合を生み出す前記閉位置にあるときに、前記ロック用ピンと嵌合するように構成される外面を含む、ことを特徴とする請求項４に記載の空気処理システム。
【請求項７】
前記外面は歯部を含み、該歯部は、前記閉位置で前記クリップを固定するように前記ロック用ピンと相互作用する、ことを特徴とする請求項６に記載の空気処理システム。
【請求項８】
前記外面は受け部を画定し、前記ロック用ピンと前記受け部は、前記クリップが前記閉位置にあるときに嵌合する、ことを特徴とする請求項６に記載の空気処理システム。
【請求項９】
前記外面は止め部を含み、該止め部は前記ロック用ピンと係合して前記クリップの動きの範囲を制限するように構成される、ことを特徴とする請求項８に記載の空気処理システム。
【請求項１０】
前記フィルターは、前記枠部の両側部に配置される２つのクリップを含み、かつ、前記クリップから遠隔にある前記枠部から突出する留め部を含む、ことを特徴とする請求項１に記載の空気処理システム。
【請求項１１】
前記フィルターは前記フィルターの上部中心の近くに配置された１つのクリップを含む、ことを特徴とする請求項１に記載の空気処理システム。
【請求項１２】
空気処理システムのフィルターであって、
上部と、底部と、一対の両側部とを有する枠部と、
前記枠部によって支持されるフィルター媒体と、
前記枠部から突出する留め部と、
前記枠部に回転可能に取り付けられた保持クリップであって、該クリップは、開位置と閉位置の間で手動で動作可能であり、前記クリップは、前記フィルターを前記フィルターハウジングに引き込み、かつ前記閉位置にあるときに前記フィルターを前記フィルターハウジングの中に固定するようフィルターハウジングと相互作用するように構成される、クリップと、を備え、
前記留め部は前記枠部の前記底部に配置され、前記クリップは前記枠部の前記上部寄りに配置される、フィルター。
【請求項１３】
前記クリップは、前記閉位置にあるときに前記フィルターハウジングに係合するように構成されるフックを含む、ことを特徴とする請求項１２に記載のフィルター。
【請求項１４】
前記フックは、前記クリップが前記開位置から前記閉位置に動かされる際に前記フックが変形するように構成され、該変形は前記閉位置に出入りする前記クリップの動きに抵抗するスナップ嵌め係合を生み出す、ことを特徴とする請求項１３に記載のフィルター。
【請求項１５】
前記クリップに隣接して配置されるロック用ピンをさらに含み、前記クリップは、該クリップが前記閉位置に出入りする前記クリップの動きに抵抗するスナップ嵌め係合を生み出す前記閉位置にあるときに、前記ロック用ピンと相互作用するように構成される外面を含む、ことを特徴とする請求項１３に記載のフィルター。
【請求項１６】
前記外面は歯部を含み、前記ロック用ピンは窪みを画定し、前記歯部と前記窪みは、前記クリップが前記閉位置にあるときに嵌合する、ことを特徴とする請求項１５に記載のフィルター。
【請求項１７】
前記外面は受け部を画定し、前記ロック用ピンと前記受け部は、前記クリップが前記閉位置にあるときに嵌合する、ことを特徴とする請求項１５に記載のフィルター。
【請求項１８】
前記外面は止め部を含み、該止め部は前記ロック用ピンと係合して前記クリップの動きの範囲を制限するように構成される、ことを特徴とする請求項１７に記載のフィルター。
【外国語明細書】
2020001039000001.pdf